(57)【特許請求の範囲】
【請求項１】
情報処理装置及び携帯型移動端末の少なくとも一方と無線通信を行うことで、前記情報処理装置と前記携帯型移動端末との無線接続を確立させる接続制御装置であって、
前記情報処理装置のタッチパネル上の、ユーザによる操作入力が行われた位置に関する第１の操作情報を取得する第１の取得手段と、
前記携帯型移動端末のタッチパネル上の、ユーザによる操作入力が行われた位置に関する第２の操作情報を取得する第２の取得手段と、
前記第１の取得手段により取得された前記第１の操作情報と前記第２の取得手段により取得された前記第２の操作情報とに基づいて、ユーザによる前記情報処理装置に対する操作入力と前記携帯型移動端末に対する操作入力とが互いに対応するものであるか否かの判断を行う判断手段と、
前記判断手段の判断結果に応じて、前記情報処理装置と前記携帯型移動端末との無線接続を確立させる接続手段とを備え、
前記第１の操作情報には、前記情報処理装置のタッチパネル上におけるユーザによる操作入力が行われた位置の情報を一定周期でサンプリングして得られる移動軌跡情報が含まれており、
前記第２の操作情報には、前記携帯型移動端末のタッチパネル上におけるユーザによる操作入力が行われた位置の情報を一定周期でサンプリングして得られる移動軌跡情報が含まれており、
前記第１の取得手段及び前記第２の取得手段のうち少なくとも一方は、前記情報処理装置と前記携帯型移動端末との無線接続が確立していない状態で、前記情報処理装置及び前記携帯型移動端末の少なくとも一方との無線通信により、前記第１の操作情報又は第２の操作情報を取得する、接続制御装置。
【請求項２】
情報処理装置及び携帯型移動端末の少なくとも一方と無線通信を行うことで、前記情報処理装置と前記携帯型移動端末との無線接続を確立させる接続制御装置であって、
前記情報処理装置のタッチパネル上の、ユーザによる操作入力が行われた位置に関する第１の操作情報を取得する第１の取得手段と、
前記携帯型移動端末のタッチパネル上の、ユーザによる操作入力が行われた位置に関する第２の操作情報を取得する第２の取得手段と、
前記第１の取得手段により取得された前記第１の操作情報と前記第２の取得手段により取得された前記第２の操作情報とに基づいて、ユーザによる前記情報処理装置に対する操作入力と前記携帯型移動端末に対する操作入力とが互いに対応するものであるか否かの判断を行う判断手段と、
前記判断手段の判断結果に応じて、前記情報処理装置と前記携帯型移動端末との無線接続を確立させる接続手段と、
少なくとも前記第２の操作情報に基づいて、前記携帯型移動端末の姿勢を検出する姿勢検出手段と、
前記姿勢検出手段により検出された前記携帯型移動端末の姿勢に応じて、前記接続手段により前記無線接続が確立されたときに行う処理を変更する変更手段とを備え、
前記第１の取得手段及び前記第２の取得手段のうち少なくとも一方は、前記情報処理装置と前記携帯型移動端末との無線接続が確立していない状態で、前記情報処理装置及び前記携帯型移動端末の少なくとも一方との無線通信により、前記第１の操作情報又は第２の操作情報を取得する、接続制御装置。
【請求項３】
前記姿勢検出手段は、前記第２の操作情報を文字情報として認識した結果に基づいて、前記携帯型移動端末の姿勢を検出する、請求項２に記載の接続制御装置。
【請求項４】
前記第１の操作情報には、前記情報処理装置のタッチパネル上におけるユーザによる操作入力が行われた位置の情報を一定周期でサンプリングして得られる移動軌跡情報が含まれており、
前記第２の操作情報には、前記携帯型移動端末のタッチパネル上におけるユーザによる操作入力が行われた位置の情報を一定周期でサンプリングして得られる移動軌跡情報が含まれている、請求項２又は３に記載の接続制御装置。
【請求項５】
前記情報処理装置のタッチパネルにユーザにより操作入力が行われた第１の時刻に関する情報及び前記携帯型移動端末のタッチパネルにユーザにより操作入力が行われた第２の時刻に関する情報を取得する第３の取得手段をさらに備え、
前記判断手段は、前記第１の操作情報及び前記第２の操作情報と、前記第３の取得手段により取得された情報とに基づいて、前記判断を行う、請求項１から４のいずれかに記載の接続制御装置。
【請求項６】
前記判断手段は、少なくとも前記第１の時刻と前記第２の時刻との時間差が所定時間以内であることを条件として、ユーザによる前記情報処理装置に対する操作入力と前記携帯型移動端末に対する操作入力とが互いに対応するものであると判断する、請求項５に記載の接続制御装置。
【請求項７】
前記情報処理装置及び前記携帯型移動端末のそれぞれのタッチパネルの解像度に関する情報を取得する第４の取得手段をさらに備え、
前記判断手段は、前記第４の取得手段により取得された情報に基づいて、前記第１の操作情報と前記第２の操作情報とを比較し、前記判断を行う、請求項１から６のいずれかに記載の接続制御装置。
【請求項８】
前記第１の操作情報及び前記第２の操作情報のそれぞれに基づいて、前記第１の操作情報及び前記第２の操作情報のそれぞれを文字情報として認識する文字認識手段をさらに備え、
前記判断手段は、前記文字認識手段により認識された前記第１の操作情報に対応する文字情報と前記第２の操作情報に対応する文字情報とが一致するか否かに応じて、前記判断を行う、請求項１から７のいずれかに記載の接続制御装置。
【請求項９】
前記判断手段は、前記文字認識手段により認識された前記第１の操作情報に対応する文字情報及び前記第２の操作情報に対応する文字情報と、予め設定された前記ユーザに対する認証パスワードとが互いに一致するか否かに応じて、前記判断を行う、請求項８に記載の接続制御装置。
【請求項１０】
前記文字認識手段により認識された前記第１の操作情報に対応する文字情報及び前記第２の操作情報に対応する文字情報と、予め設定された前記ユーザに対する認証パスワードとが互いに一致するか否かに応じて、前記ユーザの認証を行う認証手段をさらに備える、請求項８又は９に記載の接続制御装置。
【請求項１１】
前記接続手段により前記情報処理装置と前記携帯型移動端末との無線接続が確立されたとき、前記情報処理装置及び前記携帯型移動端末のうち少なくとも一方において、予め設定された連携動作を実行させる実行手段をさらに備える、請求項１から１０のいずれかに記載の接続制御装置。
【請求項１２】
前記接続手段により前記情報処理装置と前記携帯型移動端末との無線接続が確立されたとき、前記情報処理装置及び前記携帯型移動端末のうち少なくとも一方において接続確立以前には実行することが禁止されていた機能の実行を許可する許可手段をさらに備える、請求項１から１１のいずれかに記載の接続制御装置。
【請求項１３】
前記第１の操作情報は、前記情報処理装置のタッチパネル上の、ユーザにより触れられている領域の重心位置に関し、
前記第２の操作情報は、前記携帯型移動端末のタッチパネル上の、ユーザにより触れられている領域の重心位置に関する、請求項１から１２のいずれかに記載の接続制御装置。
【請求項１４】
前記第１の取得手段及び前記第２の取得手段のうち少なくとも一方は、外部のサーバを介して前記第１の操作情報又は第２の操作情報の取得を行う、請求項１から１３のいずれかに記載の接続制御装置。
【請求項１５】
請求項１から１４のいずれかに記載の接続制御装置と、
前記接続手段により前記携帯型移動端末との無線接続が確立されたとき、前記携帯型移動端末との無線通信を行う通信部とを備える、情報処理装置。
【請求項１６】
請求項１５に記載の情報処理装置と、用紙に画像を形成する画像形成部とを備える、画
像形成装置。
【請求項１７】
請求項１から１４のいずれかに記載の接続制御装置と、
前記接続手段により前記情報処理装置との無線接続が確立されたとき、前記情報処理装置との無線通信を行う通信部とを備える、携帯型移動端末。
【請求項１８】
情報処理装置と、携帯型移動端末とを備え、
前記情報処理装置及び前記携帯型移動端末のうちいずれか一方には、請求項１から１４のいずれかに記載の接続制御装置が含まれており、
前記接続手段は、前記情報処理装置と前記携帯型移動端末との無線接続を確立させる、情報処理システム。
【請求項１９】
情報処理装置と、携帯型移動端末と、前記情報処理装置及び前記携帯型移動端末のそれぞれと通信可能なサーバとを備え、
前記サーバには、請求項１から１４のいずれかに記載の接続制御装置が含まれており、
前記接続手段は、前記情報処理装置と前記携帯型移動端末との無線接続を確立させる、情報処理システム。
【請求項２０】
情報処理装置及び携帯型移動端末の少なくとも一方と無線通信を行うことで、前記情報処理装置と前記携帯型移動端末との無線接続を確立させる接続制御装置の制御方法であって、
前記情報処理装置のタッチパネル上の、ユーザによる操作入力が行われた位置に関する第１の操作情報を取得する第１の取得ステップと、
前記携帯型移動端末のタッチパネル上の、ユーザによる操作入力が行われた位置に関する第２の操作情報を取得する第２の取得ステップと、
前記第１の取得ステップにより取得された前記第１の操作情報と前記第２の取得ステップにより取得された前記第２の操作情報とに基づいて、ユーザによる前記情報処理装置に対する操作入力と前記携帯型移動端末に対する操作入力とが互いに対応するものであるか否かの判断を行う判断ステップと、
前記判断ステップの判断結果に応じて、前記情報処理装置と前記携帯型移動端末との無線接続を確立させる接続ステップとを備え、
前記第１の操作情報には、前記情報処理装置のタッチパネル上におけるユーザによる操作入力が行われた位置の情報を一定周期でサンプリングして得られる移動軌跡情報が含まれており、
前記第２の操作情報には、前記携帯型移動端末のタッチパネル上におけるユーザによる操作入力が行われた位置の情報を一定周期でサンプリングして得られる移動軌跡情報が含まれており、
前記第１の取得ステップ及び前記第２の取得ステップのうち少なくとも一方は、前記情報処理装置と前記携帯型移動端末との無線接続が確立していない状態で、前記情報処理装置及び前記携帯型移動端末の少なくとも一方との無線通信により、前記第１の操作情報又は第２の操作情報を取得する、接続制御装置の制御方法。
【請求項２１】
情報処理装置及び携帯型移動端末の少なくとも一方と無線通信を行うことで、前記情報処理装置と前記携帯型移動端末との無線接続を確立させる接続制御装置の制御方法であって、
前記情報処理装置のタッチパネル上の、ユーザによる操作入力が行われた位置に関する第１の操作情報を取得する第１の取得ステップと、
前記携帯型移動端末のタッチパネル上の、ユーザによる操作入力が行われた位置に関する第２の操作情報を取得する第２の取得ステップと、
前記第１の取得ステップにより取得された前記第１の操作情報と前記第２の取得ステップにより取得された前記第２の操作情報とに基づいて、ユーザによる前記情報処理装置に対する操作入力と前記携帯型移動端末に対する操作入力とが互いに対応するものであるか否かの判断を行う判断ステップと、
前記判断ステップの判断結果に応じて、前記情報処理装置と前記携帯型移動端末との無線接続を確立させる接続ステップと、
少なくとも前記第２の操作情報に基づいて、前記携帯型移動端末の姿勢を検出する姿勢検出ステップと、
前記姿勢検出ステップにより検出された前記携帯型移動端末の姿勢に応じて、前記接続ステップにより前記無線接続が確立されたときに行う処理を変更する変更ステップとを備え、
前記第１の取得ステップ及び前記第２の取得ステップのうち少なくとも一方は、前記情報処理装置と前記携帯型移動端末との無線接続が確立していない状態で、前記情報処理装置及び前記携帯型移動端末の少なくとも一方との無線通信により、前記第１の操作情報又は第２の操作情報を取得する、接続制御装置の制御方法。
【請求項２２】
情報処理装置及び携帯型移動端末の少なくとも一方と無線通信を行うことで、前記情報処理装置と前記携帯型移動端末との無線接続を確立させる接続制御装置の制御プログラムであって、
前記情報処理装置のタッチパネル上の、ユーザによる操作入力が行われた位置に関する第１の操作情報を取得する第１の取得ステップと、
前記携帯型移動端末のタッチパネル上の、ユーザによる操作入力が行われた位置に関する第２の操作情報を取得する第２の取得ステップと、
前記第１の取得ステップにより取得された前記第１の操作情報と前記第２の取得ステップにより取得された前記第２の操作情報とに基づいて、ユーザによる前記情報処理装置に対する操作入力と前記携帯型移動端末に対する操作入力とが互いに対応するものであるか否かの判断を行う判断ステップと、
前記判断ステップの判断結果に応じて、前記情報処理装置と前記携帯型移動端末との無線接続を確立させる接続ステップとをコンピュータに実行させ、
前記第１の操作情報には、前記情報処理装置のタッチパネル上におけるユーザによる操作入力が行われた位置の情報を一定周期でサンプリングして得られる移動軌跡情報が含まれており、
前記第２の操作情報には、前記携帯型移動端末のタッチパネル上におけるユーザによる操作入力が行われた位置の情報を一定周期でサンプリングして得られる移動軌跡情報が含まれており、
前記第１の取得ステップ及び前記第２の取得ステップのうち少なくとも一方は、前記情報処理装置と前記携帯型移動端末との無線接続が確立していない状態で、前記情報処理装置及び前記携帯型移動端末の少なくとも一方との無線通信により、前記第１の操作情報又は第２の操作情報を取得する、接続制御装置の制御プログラム。
【請求項２３】
情報処理装置及び携帯型移動端末の少なくとも一方と無線通信を行うことで、前記情報処理装置と前記携帯型移動端末との無線接続を確立させる接続制御装置の制御プログラムであって、
前記情報処理装置のタッチパネル上の、ユーザによる操作入力が行われた位置に関する第１の操作情報を取得する第１の取得ステップと、
前記携帯型移動端末のタッチパネル上の、ユーザによる操作入力が行われた位置に関する第２の操作情報を取得する第２の取得ステップと、
前記第１の取得ステップにより取得された前記第１の操作情報と前記第２の取得ステップにより取得された前記第２の操作情報とに基づいて、ユーザによる前記情報処理装置に対する操作入力と前記携帯型移動端末に対する操作入力とが互いに対応するものであるか否かの判断を行う判断ステップと、
前記判断ステップの判断結果に応じて、前記情報処理装置と前記携帯型移動端末との無線接続を確立させる接続ステップと、
少なくとも前記第２の操作情報に基づいて、前記携帯型移動端末の姿勢を検出する姿勢検出ステップと、
前記姿勢検出ステップにより検出された前記携帯型移動端末の姿勢に応じて、前記接続ステップにより前記無線接続が確立されたときに行う処理を変更する変更ステップとをコンピュータに実行させ、
前記第１の取得ステップ及び前記第２の取得ステップのうち少なくとも一方は、前記情報処理装置と前記携帯型移動端末との無線接続が確立していない状態で、前記情報処理装置及び前記携帯型移動端末の少なくとも一方との無線通信により、前記第１の操作情報又は第２の操作情報を取得する、接続制御装置の制御プログラム。
【発明の詳細な説明】
【技術分野】
【０００１】
この発明は、接続制御装置、情報処理装置、画像形成装置、携帯型移動端末、情報処理システム、接続制御装置の制御方法、及び接続制御装置の制御プログラムに関し、特に、携帯型移動端末と情報処理装置との間で無線通信を行う情報処理システムに用いられる接続制御装置、情報処理装置、画像形成装置、携帯型移動端末、情報処理システム、接続制御装置の制御方法、及び接続制御装置の制御プログラムに関する。
【背景技術】
【０００２】
情報の入出力を行う情報処理装置と、携帯電話機のような携帯型移動端末（携帯情報端末ということもある。）とを有する情報処理システムであって、情報処理装置と携帯型移動端末との間で、無線通信による接続を確立させ、データの転送などを行うことができるようにするものがある。情報処理装置としては、例えば、画像形成装置（スキャナ機能、ファクシミリ機能、複写機能、プリンタとしての機能、データ通信機能、及びサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンタなど）のようなものが挙げられる。
【０００３】
このような情報処理システムで無線通信による接続を確立させて行われる機能の一例としては、例えば、画像形成装置で携帯型移動端末から転送されたデータに基づいて印刷を行うものがある。この機能では、画像形成装置に対して、携帯型移動端末内のファイル（例えば、ＰＤＦ（Ｐｏｒｔａｂｌｅ  Ｄｏｃｕｍｅｎｔ  Ｆｏｒｍａｔ）フォーマットの文書ファイルなど）が転送される。転送は、例えばＢｌｕｅｔｏｏｔｈ（登録商標）などの無線インターフェイス経由で、両者間の接続を確立させたうえで行われる。
【０００４】
下記特許文献１には、携帯情報端末を画像処理装置と近距離無線通信可能な範囲内に存在させることにより、携帯情報端末と画像処理装置との通信を開始させ、各種処理を自動的に実行させることができる画像処理システムが開示されている。
【０００５】
下記特許文献２には、ユーザが保持する携帯端末との間で人体通信を行う画像形成装置が開示されている。この画像形成装置と携帯端末とは、上記人体通信を行うことで、携帯端末についてのユーザの認証と画像形成装置についてのユーザの認証とを行う。
【０００６】
なお、下記特許文献３には、クライアントＰＣと携帯端末とプリンタとで構成され、気密印刷が可能な印刷システムが開示されている。クライアントＰＣは、印刷するデータ及び認証コードをプリンタに送信するとともに、認証コードを二次元コードに変換して表示する。ユーザは、携帯端末で二次元コードを読み取ることで認証コードを得て、その認証コードを携帯端末からプリンタに無線インターフェイスを介して送信する。プリンタは、クライアントＰＣから送られた認証コードと携帯端末から送信された認証コードとが一致したとき、印刷を実行する。
【先行技術文献】
【特許文献】
【０００７】
【特許文献１】特開２００８−１９３２６５号公報
【特許文献２】特開２０１０−１８３３０６号公報
【特許文献３】特開２００８−３１１８９５号公報
【発明の概要】
【発明が解決しようとする課題】
【０００８】
ところで、従来、無線通信を行えるように携帯型移動端末と情報処理装置との両機器の接続を確立させ、連携した動作を行えるようにするためには、ユーザによる面倒な操作が必要とされていた。例えば、上記の例のように、Ｂｌｕｅｔｏｏｔｈ（登録商標）などによりファイル転送可能に画像形成装置と携帯電話端末との接続を確立（ペアリングともいう）させるためには、事前に相互の機器にパスキー（ＰＩＮ（Ｐｅｒｓｏｎａｌ  Ｉｄｅｎｔｉｆｉｃａｔｉｏｎ  Ｎｕｍｂｅｒ）コード）を入力する操作が要求される。
【０００９】
両機器を連携させるためにユーザによる操作が必要とされるのは、次のような理由によるものである。すなわち、無線通信による接続では、双方の機器が、自ら単独では、接続すべき相手となる機器との相関性を判断することができないという特徴がある。このことは、実際には同一の作業者が両機器を操作することが明らかであるような状況であっても変わらない。換言すると、両機器が、互いに通信を試みることが可能な電波の届く範囲内にあっても、両機器が接続できるものか否かを、各機器は判別できない。例えば、両機器が、同一作業者が保持するものであって互いに連携してよいものであるか、別々の作業者が操作するものであって連携すべきでないものであるかを、区別することができない。
【００１０】
ここで、上記特許文献１に記載の画像形成システムは、接続する機器間で無線通信とは別の規格の近距離無線通信を行うことにより無線通信に必要な情報を取得し、両機器間で無線通信を行う。しかしながら、このような近距離無線通信を利用するには、両機器がそれに対応する通信インターフェイスを備えていなければならないという問題がある。また、近距離無線通信を行う必要があるところ、近距離無線通信を行うための無線端末とＭＦＰとの間での認証を確立するための手順は省かれているため、セキュリティ上の問題が発生することがある。
【００１１】
上記特許文献２に記載の画像形成装置は、ユーザが保持する携帯端末との間で人体通信を行う。このように無線通信に代えて人体通信を行うとすれば、容易に操作を行うことができる。しかしながら、このような人体通信を行うためには、両機器がそれに対応する通信インターフェイスを備えていなければならないという問題がある。
【００１２】
なお、上記特許文献３には、上記のような複数の装置を互いに関連付けることに関する事項は何ら開示されていない。すなわち、上記特許文献３には、上記問題点に対して有効な解決策は何ら開示されていない。
【００１３】
この発明はそのような問題点を解決するためになされたものであり、容易な操作で、無線通信を実行可能に２つの機器間の接続を確立させることができる接続制御装置、情報処理装置、画像形成装置、携帯型移動端末、情報処理システム、接続制御装置の制御方法、及び接続制御装置の制御プログラムを提供することを目的としている。
【課題を解決するための手段】
【００１４】
上記目的を達成するためこの発明のある局面に従うと、情報処理装置及び携帯型移動端末の少なくとも一方と無線通信を行うことで、情報処理装置と携帯型移動端末との無線接続を確立させる接続制御装置は、情報処理装置のタッチパネル上の、ユーザによる操作入力が行われた位置に関する第１の操作情報を取得する第１の取得手段と、携帯型移動端末のタッチパネル上の、ユーザによる操作入力が行われた位置に関する第２の操作情報を取得する第２の取得手段と、第１の取得手段により取得された第１の操作情報と第２の取得手段により取得された第２の操作情報とに基づいて、ユーザによる情報処理装置に対する操作入力と携帯型移動端末に対する操作入力とが互いに対応するものであるか否かの判断を行う判断手段と、判断手段の判断結果に応じて、情報処理装置と携帯型移動端末との無線接続を確立させる接続手段とを備え、第１の操作情報には、情報処理装置のタッチパネル上におけるユーザによる操作入力が行われた位置の情報を一定周期でサンプリングして得られる移動軌跡情報が含まれており、第２の操作情報には、携帯型移動端末のタッチパネル上におけるユーザによる操作入力が行われた位置の情報を一定周期でサンプリングして得られる移動軌跡情報が含まれており、第１の取得手段及び第２の取得手段のうち少なくとも一方は、情報処理装置と携帯型移動端末との無線接続が確立していない状態で、情報処理装置及び携帯型移動端末の少なくとも一方との無線通信により、第１の操作情報又は第２の操作情報を取得する。
この発明の他の局面に従うと、情報処理装置及び携帯型移動端末の少なくとも一方と無線通信を行うことで、情報処理装置と携帯型移動端末との無線接続を確立させる接続制御装置は、情報処理装置のタッチパネル上の、ユーザによる操作入力が行われた位置に関する第１の操作情報を取得する第１の取得手段と、携帯型移動端末のタッチパネル上の、ユーザによる操作入力が行われた位置に関する第２の操作情報を取得する第２の取得手段と、第１の取得手段により取得された第１の操作情報と第２の取得手段により取得された第２の操作情報とに基づいて、ユーザによる情報処理装置に対する操作入力と携帯型移動端末に対する操作入力とが互いに対応するものであるか否かの判断を行う判断手段と、判断手段の判断結果に応じて、情報処理装置と携帯型移動端末との無線接続を確立させる接続手段と、少なくとも前記第２の操作情報に基づいて、携帯型移動端末の姿勢を検出する姿勢検出手段と、姿勢検出手段により検出された携帯型移動端末の姿勢に応じて、接続手段により無線接続が確立されたときに行う処理を変更する変更手段とを備え、第１の取得手段及び第２の取得手段のうち少なくとも一方は、情報処理装置と携帯型移動端末との無線接続が確立していない状態で、情報処理装置及び携帯型移動端末の少なくとも一方との無線通信により、第１の操作情報又は第２の操作情報を取得する。
好ましくは姿勢検出手段は、第２の操作情報を文字情報として認識した結果に基づいて、携帯型移動端末の姿勢を検出する。
【００１５】
好ましくは第１の操作情報には、情報処理装置のタッチパネル上におけるユーザによる操作入力が行われた位置の情報を一定周期でサンプリングして得られる移動軌跡情報が含まれており、第２の操作情報には、携帯型移動端末のタッチパネル上におけるユーザによる操作入力が行われた位置の情報を一定周期でサンプリングして得られる移動軌跡情報が含まれている。
【００１６】
好ましくは接続制御装置は、情報処理装置のタッチパネルにユーザにより操作入力が行われた第１の時刻に関する情報及び携帯型移動端末のタッチパネルにユーザにより操作入力が行われた第２の時刻に関する情報を取得する第３の取得手段をさらに備え、判断手段は、第１の操作情報及び第２の操作情報と、第３の取得手段により取得された情報とに基づいて、判断を行う。
【００１７】
好ましくは判断手段は、少なくとも第１の時刻と第２の時刻との時間差が所定時間以内であることを条件として、ユーザによる情報処理装置に対する操作入力と携帯型移動端末に対する操作入力とが互いに対応するものであると判断する。
【００１８】
好ましくは接続制御装置は、情報処理装置及び携帯型移動端末のそれぞれのタッチパネルの解像度に関する情報を取得する第４の取得手段をさらに備え、判断手段は、第４の取得手段により取得された情報に基づいて、第１の操作情報と第２の操作情報とを比較し、判断を行う。
【００１９】
好ましくは接続制御装置は、第１の操作情報及び第２の操作情報のそれぞれに基づいて、第１の操作情報及び第２の操作情報のそれぞれを文字情報として認識する文字認識手段をさらに備え、判断手段は、文字認識手段により認識された第１の操作情報に対応する文字情報と第２の操作情報に対応する文字情報とが一致するか否かに応じて、判断を行う。
【００２０】
好ましくは判断手段は、文字認識手段により認識された第１の操作情報に対応する文字情報及び第２の操作情報に対応する文字情報と、予め設定されたユーザに対する認証パスワードとが互いに一致するか否かに応じて、判断を行う。
【００２１】
好ましくは接続制御装置は、文字認識手段により認識された第１の操作情報に対応する文字情報及び第２の操作情報に対応する文字情報と、予め設定されたユーザに対する認証パスワードとが互いに一致するか否かに応じて、ユーザの認証を行う認証手段をさらに備える。
【００２４】
好ましくは接続制御装置は、接続手段により情報処理装置と携帯型移動端末との無線接続が確立されたとき、情報処理装置及び携帯型移動端末のうち少なくとも一方において、予め設定された連携動作を実行させる実行手段をさらに備える。
【００２５】
好ましくは接続制御装置は、接続手段により情報処理装置と携帯型移動端末との無線接続が確立されたとき、情報処理装置及び携帯型移動端末のうち少なくとも一方において接続確立以前には実行することが禁止されていた機能の実行を許可する許可手段をさらに備える。
【００２６】
好ましくは第１の操作情報は、情報処理装置のタッチパネル上の、ユーザにより触れられている領域の重心位置に関し、第２の操作情報は、携帯型移動端末のタッチパネル上の、ユーザにより触れられている領域の重心位置に関する。
【００２７】
好ましくは第１の取得手段及び第２の取得手段のうち少なくとも一方は、外部のサーバを介して第１の操作情報又は第２の操作情報の取得を行う。
【００２８】
この発明のさらに他の局面に従うと、情報処理装置は、上述のいずれかに記載の接続制御装置と、接続手段により携帯型移動端末との無線接続が確立されたとき、携帯型移動端末との無線通信を行う通信部とを備える。
【００２９】
この発明のさらに他の局面に従うと、画像形成装置は、上述に記載の情報処理装置と、用紙に画像を形成する画像形成部とを備える。
【００３０】
この発明のさらに他の局面に従うと、携帯型移動端末は、上述のいずれかに記載の接続制御装置と、接続手段により情報処理装置との無線接続が確立されたとき、情報処理装置との無線通信を行う通信部とを備える。
【００３１】
この発明のさらに他の局面に従うと、情報処理システムは、情報処理装置と、携帯型移動端末とを備え、情報処理装置及び携帯型移動端末のうちいずれか一方には、上述のいずれかに記載の接続制御装置が含まれており、接続手段は、情報処理装置と携帯型移動端末との無線接続を確立させる。
【００３２】
この発明のさらに他の局面に従うと、情報処理システムは、情報処理装置と、携帯型移動端末と、情報処理装置及び携帯型移動端末のそれぞれと通信可能なサーバとを備え、サーバには、上述のいずれかに記載の接続制御装置が含まれており、接続手段は、情報処理装置と携帯型移動端末との無線接続を確立させる。
【００３３】
この発明のさらに他の局面に従うと、情報処理装置及び携帯型移動端末の少なくとも一方と無線通信を行うことで、情報処理装置と携帯型移動端末との無線接続を確立させる接続制御装置の制御方法は、情報処理装置のタッチパネル上の、ユーザによる操作入力が行われた位置に関する第１の操作情報を取得する第１の取得ステップと、携帯型移動端末のタッチパネル上の、ユーザによる操作入力が行われた位置に関する第２の操作情報を取得する第２の取得ステップと、第１の取得ステップにより取得された第１の操作情報と第２の取得ステップにより取得された第２の操作情報とに基づいて、ユーザによる情報処理装置に対する操作入力と携帯型移動端末に対する操作入力とが互いに対応するものであるか否かの判断を行う判断ステップと、判断ステップの判断結果に応じて、情報処理装置と携帯型移動端末との無線接続を確立させる接続ステップとを備え、第１の操作情報には、情報処理装置のタッチパネル上におけるユーザによる操作入力が行われた位置の情報を一定周期でサンプリングして得られる移動軌跡情報が含まれており、第２の操作情報には、携帯型移動端末のタッチパネル上におけるユーザによる操作入力が行われた位置の情報を一定周期でサンプリングして得られる移動軌跡情報が含まれており、第１の取得ステップ及び第２の取得ステップのうち少なくとも一方は、情報処理装置と携帯型移動端末との無線接続が確立していない状態で、情報処理装置及び携帯型移動端末の少なくとも一方との無線通信により、第１の操作情報又は第２の操作情報を取得する。
この発明のさらに他の局面に従うと、情報処理装置及び携帯型移動端末の少なくとも一方と無線通信を行うことで、情報処理装置と携帯型移動端末との無線接続を確立させる接続制御装置の制御方法は、情報処理装置のタッチパネル上の、ユーザによる操作入力が行われた位置に関する第１の操作情報を取得する第１の取得ステップと、携帯型移動端末のタッチパネル上の、ユーザによる操作入力が行われた位置に関する第２の操作情報を取得する第２の取得ステップと、第１の取得ステップにより取得された第１の操作情報と第２の取得ステップにより取得された第２の操作情報とに基づいて、ユーザによる情報処理装置に対する操作入力と携帯型移動端末に対する操作入力とが互いに対応するものであるか否かの判断を行う判断ステップと、判断ステップの判断結果に応じて、情報処理装置と携帯型移動端末との無線接続を確立させる接続ステップと、少なくとも第２の操作情報に基づいて、携帯型移動端末の姿勢を検出する姿勢検出ステップと、姿勢検出ステップにより検出された携帯型移動端末の姿勢に応じて、接続ステップにより無線接続が確立されたときに行う処理を変更する変更ステップとを備え、第１の取得ステップ及び第２の取得ステップのうち少なくとも一方は、情報処理装置と携帯型移動端末との無線接続が確立していない状態で、情報処理装置及び携帯型移動端末の少なくとも一方との無線通信により、第１の操作情報又は第２の操作情報を取得する。
【００３４】
この発明のさらに他の局面に従うと、情報処理装置及び携帯型移動端末の少なくとも一方と無線通信を行うことで、情報処理装置と携帯型移動端末との無線接続を確立させる接続制御装置の制御プログラムは、情報処理装置のタッチパネル上の、ユーザによる操作入力が行われた位置に関する第１の操作情報を取得する第１の取得ステップと、携帯型移動端末のタッチパネル上の、ユーザによる操作入力が行われた位置に関する第２の操作情報を取得する第２の取得ステップと、第１の取得ステップにより取得された第１の操作情報と第２の取得ステップにより取得された第２の操作情報とに基づいて、ユーザによる情報処理装置に対する操作入力と携帯型移動端末に対する操作入力とが互いに対応するものであるか否かの判断を行う判断ステップと、判断ステップの判断結果に応じて、情報処理装置と携帯型移動端末との無線接続を確立させる接続ステップとをコンピュータに実行させ、第１の操作情報には、情報処理装置のタッチパネル上におけるユーザによる操作入力が行われた位置の情報を一定周期でサンプリングして得られる移動軌跡情報が含まれており、第２の操作情報には、携帯型移動端末のタッチパネル上におけるユーザによる操作入力が行われた位置の情報を一定周期でサンプリングして得られる移動軌跡情報が含まれており、第１の取得ステップ及び第２の取得ステップのうち少なくとも一方は、情報処理装置と携帯型移動端末との無線接続が確立していない状態で、情報処理装置及び携帯型移動端末の少なくとも一方との無線通信により、第１の操作情報又は第２の操作情報を取得する。
この発明のさらに他の局面に従うと、情報処理装置及び携帯型移動端末の少なくとも一方と無線通信を行うことで、情報処理装置と携帯型移動端末との無線接続を確立させる接続制御装置の制御プログラムは、情報処理装置のタッチパネル上の、ユーザによる操作入力が行われた位置に関する第１の操作情報を取得する第１の取得ステップと、携帯型移動端末のタッチパネル上の、ユーザによる操作入力が行われた位置に関する第２の操作情報を取得する第２の取得ステップと、第１の取得ステップにより取得された第１の操作情報と第２の取得ステップにより取得された第２の操作情報とに基づいて、ユーザによる情報処理装置に対する操作入力と携帯型移動端末に対する操作入力とが互いに対応するものであるか否かの判断を行う判断ステップと、判断ステップの判断結果に応じて、情報処理装置と携帯型移動端末との無線接続を確立させる接続ステップと、少なくとも第２の操作情報に基づいて、携帯型移動端末の姿勢を検出する姿勢検出ステップと、姿勢検出ステップにより検出された携帯型移動端末の姿勢に応じて、接続ステップにより無線接続が確立されたときに行う処理を変更する変更ステップとをコンピュータに実行させ、第１の取得ステップ及び第２の取得ステップのうち少なくとも一方は、情報処理装置と携帯型移動端末との無線接続が確立していない状態で、情報処理装置及び携帯型移動端末の少なくとも一方との無線通信により、第１の操作情報又は第２の操作情報を取得する。
【発明の効果】
【００３５】
これらの発明に従うと、ユーザによる情報処理装置に対する操作入力と携帯型移動端末に対する操作入力とが互いに対応するものであるか否かの判断結果に応じて、情報処理装置と携帯型移動端末との無線接続が確立される。したがって、容易な操作で、無線通信を実行可能に２つの機器間の接続を確立させることができる接続制御装置、情報処理装置、画像形成装置、携帯型移動端末、情報処理システム、接続制御装置の制御方法、及び接続制御装置の制御プログラムを提供することができる。
【図面の簡単な説明】
【００３６】
【図１】本発明の第１の実施の形態における画像形成システムを示すブロック図である。
【図２】画像形成装置を示す斜視図である。
【図３】画像形成装置のハードウェア構成を示すブロック図である。
【図４】接続確立動作を実行しているときに行われる操作の一例を説明する第１の図である。
【図５】接続確立動作を実行しているときに行われる操作の一例を説明する第２の図である。
【図６】接続確立動作を実行しているときに行われる操作の一例を説明する第３の図である。
【図７】タッチアンドプリント機能とそのとき行われる接続確立動作の大まかな流れを示すシーケンス図である。
【図８】接続確立動作の実行時に画像形成システムで行われる処理を示す第１のフローチャートである。
【図９】接続確立動作の実行時に画像形成システムで行われる処理を示す第２のフローチャートである。
【図１０】接続確立動作の実行時に画像形成システムで行われる処理を示す第３のフローチャートである。
【図１１】印字データ受信処理を示すフローチャートである。
【図１２】第１の実施の形態の変型例の１つに係る画像形成システムの動作を示すフローチャートである。
【図１３】上記とは異なる第１の実施の形態の変型例の１つに係る画像形成システムの動作を示すフローチャートである。
【図１４】操作パネルの表示部と、携帯端末の表示部とを比較して示す図である。
【図１５】第２の実施の形態に係る画像形成システムの動作を示すフローチャートである。
【図１６】軌跡情報補正処理の一例を示す図である。
【図１７】第３の実施の形態に係る画像形成システムの動作を示すフローチャートである。
【図１８】第３の実施の形態において接続確立動作を実行しているときに行われる操作の一例を説明する第１の図である。
【図１９】第３の実施の形態において接続確立動作を実行しているときに行われる操作の一例を説明する第２の図である。
【図２０】第４の実施の形態に係る画像形成システムの動作を示すフローチャートである。
【図２１】ＭＦＰ画面表示機能において携帯端末の姿勢が縦方向であるときの動作の流れを示す図である。
【図２２】ＭＦＰ画面表示機能において携帯端末の姿勢が横方向であるときの動作の流れを示す図である。
【図２３】本発明の別の実施の形態の一例に係る画像形成システムの構成を示すブロック図である。
【図２４】本発明の別の実施の形態の他の一例に係る画像形成システムの構成を示すブロック図である。
【発明を実施するための形態】
【００３７】
以下、本発明の実施の形態の一例に係る画像形成システム（情報処理システムの一例）について説明する。
【００３８】
画像形成システムは、画像形成装置（情報処理装置の一例）と携帯端末（携帯型移動端末の一例）とで構成されている。
【００３９】
画像形成装置は、スキャナ機能、複写機能、プリンタとしての機能、ファクシミリ機能、データ通信機能、及びサーバ機能を備えたＭＦＰ（Ｍｕｌｔｉ  Ｆｕｎｃｔｉｏｎ  Ｐｅｒｉｐｈｅｒａｌ）である。スキャナ機能は、セットされた原稿の画像を読み取ってそれをＨＤＤ（Ｈａｒｄ  Ｄｉｓｋ  Ｄｒｉｖｅ）などに蓄積する機能である。複写機能は、さらにそれを用紙などに印刷（プリント）する機能である。プリンタとしての機能は、ＰＣなどの外部端末から印刷指示を受けるとその指示に基づいて用紙に印刷を行う機能である。ファクシミリ機能は、外部のファクシミリ装置などからファクシミリデータを受信してそれをＨＤＤなどに蓄積する機能である。データ通信機能は、接続された外部機器との間でデータを送受信する機能である。サーバ機能は、複数のユーザでＨＤＤなどに記憶したデータなどを共有可能にする機能である。
【００４０】
携帯端末は、例えば、電話機能、データ通信機能、及び情報記憶、閲覧、出力機能など、種々の機能を備えた、多機能型携帯電話機である。電話機能は、携帯電話網を介して他の電話機との間で音声通話を行う機能である。データ通信機能は、例えば携帯電話網やその他のネットワークを介して、他の装置との間でデータ通信を行う機能である。データ通信機能は、例えば、無線通信により行うことができる。情報記憶、閲覧、出力機能は、外部装置から送られた情報や、ユーザから入力された情報を記憶したり、記憶した情報を表示器に表示したり、外部装置へ送信したりすることを可能にする機能である。
【００４１】
画像形成装置と携帯端末とは、所定の無線通信プロトコルで互いに通信できる。画像形成装置と携帯端末とが互いの存在を認識できるように互いに通信可能な状態において、ユーザが画像形成装置と携帯端末とに対して所定の操作を行ったとき、画像形成装置と携帯端末との両者間の接続が確立され、画像形成装置と携帯端末とが互いにデータ通信可能に連携する。画像形成装置と携帯端末との接続を確立させる動作は、例えば、画像形成装置、携帯端末、及びそれらと通信可能なサーバのうちいずれかに設けられている接続制御装置により行われる。
【００４２】
例えば、携帯端末が画像形成装置パネルの隣に置かれた状態で、ユーザが２本の指で携帯端末の表示パネルと画像形成装置の表示パネルとに同一のサイン（手書き入力）を行うと、両表示パネルになされたサインが照合される。そして、両サインが一致したときには、自動的に、携帯端末と画像形成装置とが互いに所定の無線通信プロトコルで通信可能にひも付けされる。これにより、ユーザは、容易な操作を行うことにより、携帯端末と画像形成装置とを互いに通信可能に接続することができる。
【００４３】
［第１の実施の形態］
【００４４】
図１は、本発明の第１の実施の形態における画像形成システムを示すブロック図である。
【００４５】
図１に示されるように、画像形成システム５０１は、画像形成装置１０１と、携帯端末４０１とで構成されている。画像形成システム５０１において、画像形成装置１０１は、画像形成装置１０１と携帯端末４０１との接続を確立させる接続制御装置としての動作を行う。換言すると、画像形成装置１０１は、画像形成装置１０１と携帯端末４０１との接続の確立を行う接続制御装置を備えている。
【００４６】
［携帯端末４０１の構成］
【００４７】
携帯端末４０１は、例えばいわゆるスマートフォン（多機能型携帯電話機）である。図１に示されるように、携帯端末４０１は、大まかに、ＣＰＵ４２１と、記憶部４２３と、表示部４３１と、画面制御部４４１と、通信部４５１とを有している。携帯端末４０１は、ユーザが容易に把持可能なものである。
【００４８】
ＣＰＵ４２１は、記憶部４２３や携帯端末４０１の各部などを用いて、携帯端末４０１の動作を制御する。記憶部４２３は、例えばＲＯＭやＲＡＭなどのメモリである。記憶部４２３には、携帯端末４０１で実行される制御プログラム４２３ａが記憶されている。ＣＰＵ４２１は、制御プログラム４２３ａを実行することにより、携帯端末４０１の動作の制御や、通信部４５１を利用した画像形成装置１０１との無線通信などを行う。
【００４９】
表示部４３１は、タッチパネルである。表示部４３１は、液晶ディスプレイ（ＬＣＤ）である。表示部４３１は、操作位置検出部４３３を備えている。操作位置検出部４３３は、表示部４３１にユーザが接触したこと及びその接触位置（ユーザの操作位置）を検知する。操作位置検出部４３３は、例えば、表示部４３１上の、ユーザにより触れられている領域の重心位置をユーザの操作位置として検知する。ユーザが表示部４３１に触れたとき、その情報がＣＰＵ４２１に送られ、ＣＰＵ４２１は、その情報に基づいて、携帯端末４０１の制御を行う。すなわち、ユーザは、表示部４３１に触れて操作を加えることで、携帯端末４０１の操作を行うことができる。
【００５０】
画面制御部４４１は、表示部４３１の表示を制御する。画面制御部４４１は、例えば、種々の案内画像や、携帯端末４０１の操作メニュー画面などを表示部４３１に表示する。
【００５１】
通信部４５１は、例えば所定の方式（例えば、Ｂｌｕｅｔｏｏｔｈ（登録商標）など）による無線通信を、画像形成装置１０１との間で行うことができるように構成されている。通信部４５１は、後述のように画像形成装置１０１と携帯端末４０１との間で接続が確立している状態で、無線通信を行うことができる。接続が確立していない状態においては、両者間で種々のドキュメントなど、ユーザのデータの通信を行うことができない。
【００５２】
なお、携帯端末４０１には、上述の各部のほか、位置情報検出部が設けられていてもよい。位置情報検出部は、例えば、ＧＰＳ（Ｇｌｏｂａｌ  Ｐｏｓｉｔｉｏｎｉｎｇ  Ｓｙｓｔｅｍ）を利用するＧＰＳ受信チップセットを用いたものである。この場合、携帯端末４０１は、位置情報検出部により、それ自身の位置について測位し、携帯端末４０１の位置データを得ることが可能である。
【００５３】
［画像形成装置１０１の構成］
【００５４】
図２は、画像形成装置１０１を示す斜視図である。図３は、画像形成装置１０１のハードウェア構成を示すブロック図である。
【００５５】
図２に示すように、画像形成装置１０１は、給紙カセット１３と、排紙トレイ１５と、ＣＰＵ２１と、画像形成部３０と、画像読取部４０と、操作パネル１１１とを備える。ＣＰＵ２１は、画像形成装置１０１の動作を制御する。ＣＰＵ２１、画像形成部３０、及び画像読取部４０などは、画像形成装置１０１の筐体の内部に配置されている。
【００５６】
この画像形成装置１０１は、３つの給紙カセット１３（給紙カセット１３ａ，１３ｂ，１３ｃ）を有している。それぞれの給紙カセット１３には、例えば、互いに異なるサイズの用紙（Ｂ５サイズ、Ａ４サイズ、及びＡ３サイズなど）が装てんされている。給紙カセット１３は、画像形成装置１０１の下部に、画像形成装置１０１の筐体に抜き差し可能に配置されている。各給紙カセット１３に装てんされた用紙は、印字時に、１枚ずつ給紙カセット１３から給紙され、画像形成部３０に送られる。なお、給紙カセット１３の数は３つに限られず、それより多くても少なくてもよい。
【００５７】
排紙トレイ１５は、画像形成装置１０１の筐体のうち画像形成部３０が収納されている部位の上方で画像読取部４０が配置されている部位の下方に配置されている。排紙トレイ５には、画像形成部３０により画像が形成された用紙が筐体の内部から排紙される。
【００５８】
画像形成部３０は、大まかに、トナー像形成部（図示せず）と、用紙搬送部（図示せず）と、定着装置（図示せず）とを有している。画像形成部３０は、例えば電子写真方式で用紙に画像を形成する。
【００５９】
用紙搬送部は、給紙ローラ、搬送ソーラ、及びそれらを駆動するモータなどで構成されている。用紙搬送部は、用紙を給紙カセット１３から給紙して、画像形成装置１０１の筐体の内部で搬送する。また、用紙搬送部は、画像が形成された用紙を画像形成装置１０１の筐体から排紙トレイ１５などに排出する。
【００６０】
定着装置は、加熱ローラ及び加圧ローラを有している。定着装置は、加熱ローラと加圧ローラとでトナー像が形成された用紙を挟みながら搬送し、その用紙に加熱及び加圧を行う。これにより、定着装置は、用紙に付着したトナーを溶融させて用紙に定着させ、用紙に画像を形成する。
【００６１】
画像読取部４０は、画像形成装置１０１の筐体の上部に配置されている。画像読取部４０は、ＡＤＦ（Ａｕｔｏ  Ｄｏｃｕｍｅｎｔ  Ｆｅｅｄｅｒ）４１を有している。画像読取部４０は、上述のスキャナ機能を実行する。画像読取部４０は、透明な原稿台に配置された原稿をコンタクトイメージセンサにより走査して、それを画像データとして読み取る。また、画像読取部４０は、原稿トレイにセットされた複数の原稿を１枚ずつＡＤＦ４１により順次取り込みながら、コンタクトイメージセンサにより原稿を読み取り、画像データとする。
【００６２】
画像読取部４０により読み取られた画像は、ＣＰＵ２１により、仕上がり画像に変換される。ＣＰＵ２１は、生成した仕上がり画像を外部装置などに送信したり、仕上がり画像に基づいて画像形成部３０により用紙に画像を形成したりできる。
【００６３】
操作パネル１１１は、画像形成装置１０１の上部前面（図２において正面）側に配置されている。操作パネル１１１には、ユーザにより押下操作可能な操作ボタンが配置されている。また、操作パネル１１１には、情報をユーザに表示する表示部１３１が配置されている。
【００６４】
図３に示されるように、本実施の形態において、画像形成装置１０１は、大まかに、画像形成装置本体（以下、本体ということがある。）１１と、操作パネル１１１とに分かれている。操作パネル１１１は、本体１１とは別個に、本体１１から取り外して持ち運べるように構成されている。
【００６５】
図１に示されるように、本体１１は、上述の各部のほか、記憶部２３と、通信部５１と、接続判断部（情報比較・解析部）７１と、認証管理部８１とを有している。
【００６６】
ＣＰＵ２１は、画像形成装置１０１の各部に、信号を送受可能に接続されている。ＣＰＵ２１は、記憶部２３などに記憶された制御プログラム２３ａなどを実行することにより、画像形成装置１０１の種々の動作を制御する。
【００６７】
本体１１において、記憶部２３は、例えばＲＯＭやＲＡＭ、フラッシュメモリ、ＨＤＤなどである。記憶部２３は、画像形成装置１０１に接続されている外部装置などから送られた印刷ジョブのデータや、画像読取部４０で読み取った画像データなどを記憶する。また、記憶部２３は、画像形成装置１０１の設定情報や、画像形成装置１０１の制御プログラム２３ａを記憶する。ＣＰＵ２１は、制御プログラム２３ａを読み込んで、制御プログラム２３ａを実行することで、画像形成装置１０１の種々の制御動作を実行できる。
【００６８】
通信部５１は、例えば所定の方式による無線通信を携帯端末４０１との間で行うことができるように構成されている。通信部５１は、例えばＢｌｕｅｔｏｏｔｈ（登録商標）などの近距離無線通信規格に基づいて、携帯端末４０１の通信部４５１との間で無線通信可能である。このとき、通信部５１は、後述のように携帯端末４０１と画像形成装置１０１との間で接続が確立している状態において、データ（文書データ、画像データなど）の通信を行うことができる。接続が確立していない状態においては、両者間でデータの通信を行うことができない。
【００６９】
また、通信部５１は、後述のように、操作パネル１１１の通信部１５１との間でも無線通信可能である。これにより、操作パネル１１１を通じて、画像形成装置１０１の操作が可能となっている。
【００７０】
接続判断部７１は、後述するように、画像形成装置１０１と携帯端末４０１との接続を確立するか否かを判断する。ＣＰＵ２１及び通信部５１は、接続判断部７１の判断に応じて、画像形成装置１０１と携帯端末４０１との接続を確立する。
【００７１】
接続判断部７１は、ＭＦＰ操作情報（第１の操作情報の一例）７３と、端末操作情報（第２の操作情報の一例）７５とを記憶し、管理する。これらの操作情報７３，７５の情報そのものは、記憶部２３に記憶されていてもよい。これらの情報は、後述するように、画像形成装置１０１及び携帯端末４０１が接続確立動作を行っているときに、接続判断部７１により取得され、記憶される。
【００７２】
なお、ＭＦＰ操作情報７３は、操作パネル１１１のタッチパネル上（表示部１３１上）の、ユーザによる操作入力が行われた位置に関する情報である。また、端末操作情報７５は、携帯端末４０１のタッチパネル上（表示部４３１上）の、ユーザによる操作入力が行われた位置に関する情報である。
【００７３】
認証管理部８１は、画像形成装置１０１について、ユーザ認証を行う。ユーザ認証は、画像形成装置１０１を利用するユーザを識別し、認証するジョブである。ユーザは、ユーザ認証による認証を経て、画像形成装置１０１にログインし、画像形成装置１０１を利用することができる。ユーザ認証の詳細については、後述する。
【００７４】
操作パネル１１１は、表示部１３１のほか、制御部（ＣＰＵ）１２１と、記憶部１２３と、データ入出力部１２７と、通信部１５１とを有している。
【００７５】
表示部１３１は、タッチパネルである。表示部１３１は、例えば、液晶ディスプレイ（ＬＣＤ）である。表示部１３１は、ユーザに案内画面を表示したり、操作ボタンを表示してユーザからのタッチ操作を受け付けたりする。表示部１３１は、操作位置検出部１３３を有している。操作位置検出部１３３は、表示部１３１にユーザが接触したこと及びその接触位置（ユーザの操作位置）を検知する。操作位置検出部１３３は、例えば、表示部１３１上の、ユーザにより触れられている領域の重心位置をユーザの操作位置として検知する。ユーザが表示部１３１に触れたとき、その情報が制御部１２１に送られ、制御部１２１は、その情報に基づいて、操作パネル１１１の制御を行う。すなわち、ユーザは、表示部１３１に触れて操作を加えることで、操作パネル１１１の操作を行うことができる。
【００７６】
制御部１２１は、例えばＣＰＵを用いて構成されている。制御部１２１は、操作パネル１１１の制御を行うとともに、表示部１３１の表示を制御する。制御部１２１は、表示部１３１に表示する画像を取得する処理を行う。すなわち、制御部１２１は、例えば予め用意されて記憶部１２３などに記憶されている表示画像を読み込み、表示部１３１に表示したり、表示画像を生成して表示部１３１に表示したりする。
【００７７】
記憶部１２３は、例えばＲＯＭやＲＡＭ、フラッシュメモリなどである。記憶部１２３には、例えば、操作パネル１１１の制御に用いられる制御プログラム１２３ａや種々の設定値などが記憶されている。制御部１２１は、記憶部１２３から制御プログラム１２３ａを読み出して、操作パネル１１１の制御を行う。
【００７８】
データ入出力部１２７は、例えば、ＵＳＢ（Ｕｎｉｖｅｒｓａｌ  Ｓｅｒｉａｌ  Ｂｕｓ）インターフェイスや、種々の規格のメモリーカードなどの記憶媒体のインターフェイスである。データ入出力部１２７を介して、操作パネル１１１に外部機器や外部の記憶媒体などを接続し、操作パネル１１１で外部機器などからのデータを読み込んだりすることができる。なお、データ入出力部１２７を介して、本体１１に接続できるように構成されていてもよい。
【００７９】
通信部１５１は、例えば所定の方式による無線通信を本体１１の通信部５１との間で行うことができるように構成されている。通信部１５１は、例えばＢｌｕｅｔｏｏｔｈ（登録商標）などの近距離無線通信規格に基づいて、通信部５１との間で無線通信可能である。
【００８０】
本実施の形態において、本体１１と操作パネル１１１とは、それぞれの通信部５１，１５１同士が互いに無線通信可能であることにより、互いに信号を送受可能に接続されている。
【００８１】
操作パネル１１１は、表示部１３１等がユーザにより操作されると、その操作に応じた操作信号又は所定のコマンドを、通信部５１，１５１を経由して、本体１１のＣＰＵ２１に送信する。ＣＰＵ２１は、操作パネル１１１から操作信号が送られたり、画像形成装置１０１に接続されている外部機器などから操作コマンドが送信されたりすると、それらに応じて所定の制御プログラム２３ａを実行する。操作パネル１１１に加えられたユーザの操作に応じて、信号が操作パネル１１１から本体１１に送られることで、画像形成装置１０１でユーザの操作に基づく動作が行われる。すなわち、ユーザは、表示部１３１などに操作を行うことにより、画像形成装置１０１に種々の動作を実行させることができる。
【００８２】
また、表示部１３１は、情報ディスプレイとしても用いられる。例えば、本体１１から画像形成装置１０１のステータスに関する情報などが操作パネル１１１に送られると、その情報に基づいて操作パネル１１１が表示部１３１に表示を行う。これにより、ユーザに、画像形成装置１０１に関する情報などを通知することができる。
【００８３】
ここで、認証管理部８１は、例えば次のように画像形成装置１０１についてのユーザ認証を行う。
【００８４】
ユーザ認証では、例えば記憶部２３に記憶されている認証データベース（図示せず）が用いられる。認証データベースには、ユーザ認証可能なユーザの情報とそのユーザの認証に必要な認証情報とが対応付けられて記録されている。認証情報は、例えばユーザ毎に設定された認証パスワードである。認証データベースには、各ユーザについて実行を許可する機能に関する情報が、そのユーザに対応付けて記録されている。
【００８５】
ユーザ認証は、例えば、次に示すようにして行われる。すなわち、まず、ユーザに、ユーザ認証画面が提示される。ユーザ認証画面は、表示部１３１に表示される。ユーザは、操作パネル１１１を操作し、画像形成装置１０１にそのユーザの情報（例えば、アカウント名など）とパスワードとを入力する。操作パネル１１１にこれらの情報が入力されると、ＣＰＵ２１は、認証データベースを参照し、入力されたデータに基づいて、そのユーザの認証可否を判断する。認証可能であれば、ＣＰＵ２１は、そのユーザについて認証成立とし、認証が成立した認証ユーザについて実行を許可されている機能を実行可能とする。このとき、認証ユーザは画像形成装置１０１にログインした状態になる。これにより、画像形成装置１０１は、画像形成装置１０１を用いるユーザを識別できる。
【００８６】
ユーザ認証を行ってユーザを識別することで、表示部１３１の表示や利用可能な機能などを認証されたユーザに適合するものにして、画像形成装置１０１の利便性を高められる。また、認証されたユーザが画像形成装置１０１の近くにいるときに、他のユーザの目に触れないようにして印刷物を出力できるなど、高いセキュリティ効果が得られる。
【００８７】
画像形成装置１０１において、ＣＰＵ２１は、ユーザ認証により識別したユーザに応じて、画像形成装置１０１の機能についてのユーザの使用権限を管理する。使用権限の管理が行われることで、ユーザ毎に、所定の機能の使用を制限することができ、高いセキュリティ効果が得られる。
【００８８】
なお、ユーザ認証の方式は上記に限られるものではなく、公知の方法を適宜採用することができる。認証情報の参照先や認証を行う主体などは、上記のものとは異なっていてもよい。例えば、画像形成装置１０１自身がユーザ認証を行うための認証情報を保有しており、画像形成装置１０１がユーザからの認証要求を受け付けて、認証情報に基づいて、そのユーザを認証してもよい。また、例えば接触式・非接触式のＩＤカードを用いたカード認証方式や、ユーザの指紋情報や静脈情報などを利用した生体認証方式などを採用し、ユーザにアカウント名などの情報やパスワードの入力を要求しないようにしてもよい。認証データベースは、画像形成システム５０１を構成するサーバ（図示せず）などで管理されていてもよい。
【００８９】
［画像形成装置１０１と通信端末４０１との接続確立動作］
【００９０】
本実施の形態において、画像形成装置１０１は、画像形成装置１０１と携帯端末４０１とにユーザにより所定の操作が行われることで、携帯端末４０１との接続を確立させる。このように画像形成装置１０１と携帯端末４０１との接続が確立されると、両者間で種々のデータを無線通信により送受信したり、一方の装置から相手の装置を制御したり、様々な利便性の高い機能が実行可能になる。換言すると、無線通信に先立って、接続確立動作が行われることで、携帯端末４０１と画像形成装置１０１との間で接続が確立される。この動作は、例えば、画像形成装置１０１側ではＣＰＵ２１などが制御を行い、携帯端末４０１側ではＣＰＵ４２１などが制御を行うことで、実現される。
【００９１】
以下、上述の接続の確立動作を経て行われる動作のうち、携帯端末４０１内に記憶されているデータを画像形成装置１０１に送信し、画像形成装置１０１でそのデータについて印刷を行う機能を行う場合の例について説明する。このような機能を、携帯端末４０１を用いたタッチアンドプリント機能ということがある。
【００９２】
図４は、接続確立動作を実行しているときに行われる操作の一例を説明する第１の図である。図５は、接続確立動作を実行しているときに行われる操作の一例を説明する第２の図である。図６は、接続確立動作を実行しているときに行われる操作の一例を説明する第３の図である。
【００９３】
上記機能を実行したいユーザは、ステップＳ１１において、携帯端末４０１を操作し、画像形成装置１０１で印刷させたいデータ（文書など）を選択する。このとき、図４に示されているように、携帯端末４０１の表示部４３１には、画像形成装置１０１などの情報機器とはまだ接続が確立していない状態を示す表示（「情報機器接続待ち」）と、携帯端末４０１内にあり、印刷対象となるデータをユーザに指定させるための表示とがなされる。
【００９４】
印刷対象となるデータを選択する操作が行われると、ステップＳ１２において、携帯端末４０１は、表示部４３１に、画像形成装置１０１側を接続待ち状態とすることをユーザに指示する旨の表示を行う。携帯端末４０１は、画像形成装置１０１と通信を行い、画像形成装置１０１側が接続待ち状態となったことを検知するまで待機する。なお、先に画像形成装置１０１が接続待ち状態とされており、これを携帯端末４０１が検知できたときには、ステップＳ１２は行われず、そのままステップＳ１３に移ればよい。
【００９５】
画像形成装置１０１が接続待ち状態となったことが検知されたら、ステップＳ１３において、携帯端末４０１の表示部４３１には、ユーザに、この後に行わせる所定の操作の準備を促す表示を行う。表示部４３１には、例えば「ＯＫ」との操作ボタン（タッチ操作により押下されるもの）が表示されている。ユーザが、上記準備ができたときにこの操作ボタンを押下することで、次のステップＳ１４における実際の所定の操作の入力が行えるように構成されている。なお、ステップＳ１３の表示を行ってから所定期間が経過したことをもって、次のステップＳ１４に移るようにしてもよい。
【００９６】
ステップＳ１３で「ＯＫ」が操作されると、ステップＳ１４に進む。
【００９７】
ステップＳ１４において、携帯端末４０１及び画像形成装置１０１は、ユーザの操作入力を受け付ける。ユーザは、携帯端末４０１及び画像形成装置１０１の操作パネル１１１のそれぞれに対して、互いに同様の操作を行う。携帯端末４０１及び画像形成装置１０１のそれぞれへの操作の内容が両者間で一致したら、画像形成装置１０１は、携帯端末４０１との接続を確立させる。ここで、ユーザが行う操作入力とは、例えば、いわゆる（タッチパネルへの）手書き入力によって行う文字又は図形などの入力である。
【００９８】
ステップＳ１４の段階では、携帯端末４０１の表示部４３１には、接続を確立する対象となる情報機器の接続待ちである状態を示す表示のほか、ユーザの手書き入力を受け付ける入力エリア４３５が表示される（接続画面）。他方、画像形成装置１０１の操作パネル１１１の表示部１３１には、接続を確立する対象となる携帯端末の接続待ちである状態を示す情報のほか、ユーザの手書き入力を受け付ける入力エリア１３５が表示される（接続画面）。入力エリア４３５は、携帯端末４０１の表示部４３１の全幅にわたって表示されるのに対し、入力エリア１３５は、操作パネル１１１の表示部１１１のうち、操作パネル１１１の外縁に比較的近い位置、すなわち本実施の形態では表示部１１１の上方に表示される。
【００９９】
携帯端末４０１及び操作パネル１１１にそれぞれ入力エリア４３５，１３５を含む接続画面が表示されると、ユーザは、操作パネル１１１に携帯端末４０１を近づける。このとき、ユーザは、操作パネル１１１の上縁に、携帯端末４０１を寝かせて（横方向に）近づけ、携帯端末４０１を操作パネル１１１に隣接させる。これにより、入力エリア１３５と入力エリア４３５とが近い位置に並ぶ。
【０１００】
ユーザは、携帯端末４０１と操作パネル１１１とを並べた状態で、接続画面の入力エリア１３５，４３５の両方に、略同時に、共に略同一内容の入力を行う。ここでは、例えば、「ＯＫ」という文字の手書き入力が行われる場合を想定する。このとき、ユーザは、手９００の親指９０１で、入力エリア１３５に、「ＯＫ」の文字９５１の入力を行う。また、ユーザは、人差し指９０２により、入力エリア４３５に、「ＯＫ」の文字９５２の入力を行う。
【０１０１】
このように入力が行われると、携帯端末４０１からはユーザの操作情報が画像形成装置１０１に送られ、これが画像形成装置１０１において操作パネル１１１へのユーザの操作情報と比較される。すなわち、接続判断部７１は、操作パネル１１１についてのユーザの操作情報をＭＦＰ操作情報７３として記憶し、携帯端末４０１についてのユーザの操作情報を端末操作情報７５として記憶する。そして、接続判断部７１は、ＭＦＰ操作情報７３と端末操作情報７５とを比較し、両者が一致しているか否かの判断を行う。
【０１０２】
ここで、操作情報には、例えば、表示部１３１，４３１中のユーザがタッチした位置（座標などで示される位置）の推移を示す軌跡情報や、時刻情報などが含まれる。ＣＰＵ２１，４２１などは、操作情報により、どのような文字や図形が表示部１３１，４３１に手書き入力されたかを解釈することができる。
【０１０３】
なお、両情報７３，７５が互いに若干異なるものであっても、ある程度一致している（両者が一定の類似度を有している）と判断されれば、接続判断部７１は、両者は一致していると判断してもよい。両者が一致していると判断されると、画像形成装置１０１と携帯端末４０１との接続を確立させる処理が行われる。
【０１０４】
なお、ステップＳ１４の操作は、操作パネル１１１を本体１１から取り外し、例えば平坦な机などの上に置いた状態で、行うことができる。これにより、操作パネル１１１と携帯端末４０１とを隣接させたまま、容易に操作を行うことができる。
【０１０５】
ステップＳ１４の操作が行われると、ステップＳ１５に進む。
【０１０６】
ステップＳ１５では、携帯端末４０１の表示部４３１には、画像形成装置１０１との接続が成功した（接続が確立した）旨の表示と、画像形成装置１０１（情報機器）が接続中である旨の表示とが行われる。
【０１０７】
このように接続が確立されると、その後、携帯端末４０１内に記憶されているデータの画像形成装置１０１への転送が行われる。すなわち、ステップＳ１６として、印刷文書の転送が開始される。ここで印刷文書とは、ステップＳ１１において印刷対象のものとして指定されたデータをいう。表示部４３１には、例えば、印刷文書を転送中であることを示す表示と、転送の進ちょく状況を示すプログレスバーとが表示される。なお、同様の表示が操作パネル１１１の表示部１３１などに行われるようにしてもよい。
【０１０８】
ステップＳ１７において、印刷文書の転送が完了すると、表示部４３１には、その旨の表示が行われる。また、印刷文書の転送が完了すると、画像形成装置１０１において、転送された印刷文書について、画像形成動作（印刷動作）が行われる。これにより、画像形成装置１０１と携帯端末４０１との接続を確立させて転送したデータの印刷が行われるまでの一連の動作が終了する。
【０１０９】
図７は、タッチアンドプリント機能とそのとき行われる接続確立動作の大まかな流れを示すシーケンス図である。
【０１１０】
タッチアンドプリント機能は、ユーザの操作に応じて、画像形成装置１０１と携帯端末４０１との間で行われる。このうち、接続確立動作では、画像形成装置１０１の接続判断部７１に、画像形成装置１０１側で得られたＭＦＰ操作情報７３と携帯端末４０１側で得られた端末操作情報７５とが送られて、接続判断部７１で画像形成装置１０１と携帯端末４０１とが対応するものであるか否かが判断される。図７では、画像形成装置１０１と接続判断部７１とが分けられて示されているが、これは、画像形成装置１０１側で得られたＭＦＰ操作情報７３が接続判断部７１で処理されることを説明するためである。
【０１１１】
図７に示されるように、タッチアンドプリント機能では、次のような順番でユーザの操作が行われる。すなわち、ステップＳ２１において、ユーザは、画像形成装置１０１の動作モードを印刷指示接続待ちモード（以下、接続待ち状態ということがある。）にする。ユーザは、所定の操作を行うことで、動作モードを変更可能である。
【０１１２】
ステップＳ２２において、ユーザは、携帯端末４０１を操作し、携帯端末４０１の動作モードを、画像形成装置接続待ちモード（以下、接続待ち状態ということがある。）にする。また、このとき、ユーザは、携帯端末４０１を操作し、印刷対象文書（送信ファイル）の指定を行う。印刷対象文書としては、ユーザが、画像形成装置１０１から出力させたいと考えるものが指定される。
【０１１３】
ステップＳ２１，Ｓ２２で、タッチアンドプリント機能の準備が行われると、接続確立動作が開始される。
【０１１４】
ステップＳ２３において、ユーザは、携帯端末４０１と操作パネル１１１とを並べて、入力準備を行う。
【０１１５】
ステップＳ２４において、ユーザは、携帯端末４０１と操作パネル１１１とに対して、操作入力を行う。
【０１１６】
操作入力が行われると、後述するように、画像形成装置１０１と携帯端末４０１との接続が確立され、接続確立前に行うことができなかったファイルの転送が可能となる。タッチアンドプリント動作の準備において指定された印刷対象文書が携帯端末４０１から画像形成装置１０１に送信される。そして、画像形成装置１０１は、受信した印刷対象文書について、印刷を行う。
【０１１７】
このように印刷が行われることで、ステップＳ２５において、ユーザは、印刷対象文書についての印刷物を受け取ることができる。
【０１１８】
タッチアンドプリント機能は、ユーザの操作に応じて、画像形成装置１０１と、携帯端末４０１と、画像形成装置１０１の内部の接続判断部７１とのそれぞれが、次のように処理を行うことで実現されている。これらの処理は、画像形成装置１０１のＣＰＵ２１や、携帯端末４０１のＣＰＵ４２１の制御の下で、画像形成装置１０１の各部や携帯端末４０１の各部が動作することで、行われる。
【０１１９】
すなわち、図７に示されるように、ステップＳ３１において、画像形成装置１０１のＣＰＵ２１は、ユーザによるステップＳ２１に示される操作に応じて、画像形成装置１０１の動作モードを接続待ち状態にする。このとき、ＣＰＵ２１は、画像形成装置１０１に関する所定の種類の情報を、接続判断部７１に送信する。例えば、画像形成装置１０１に固有に付与された端末ＩＤと、画像形成装置１０１が接続待ち状態であることを示す情報とが送信される。
【０１２０】
ステップＳ３３において、画像形成装置１０１のＣＰＵ２１は、表示部１３１に接続画面を表示する。なお、接続画面は、携帯端末４０１も接続待ち状態になっていることが検知されてから表示されてもよい。
【０１２１】
ステップＳ３５において、接続判断部７１では、ＣＰＵ２１による制御の下、画像形成装置１０１から送信された情報を取得し、記憶する。これらの情報は、例えば、ＭＦＰ操作情報７３の記録に用いられる。
【０１２２】
他方、ステップＳ３７において、携帯端末４０１のＣＰＵ４２１は、ユーザによるステップＳ２２に示される操作に応じて、携帯端末４０１の動作モードを接続待ち状態にする。このとき、ＣＰＵ４２１は、携帯端末４０１に関する所定の種類の情報を、画像形成装置１０１の接続判断部７１に送信する。例えば、携帯端末４０１に固有に付与された端末ＩＤと、携帯端末４０１が接続待ち状態であることを示す情報と位置情報とが送信される。
【０１２３】
ステップＳ３８において、携帯端末４０１のＣＰＵ４２１は、表示部１３１に接続画面を表示する。なお、接続画面は、画像形成装置１０１も接続待ち状態になっていることが検知されてから表示されてもよい。
【０１２４】
ステップＳ３９において、接続判断部７１では、ＣＰＵ２１による制御の下、携帯端末４０１から送信された情報を取得し、記憶する。
【０１２５】
なお、ステップＳ３１からステップＳ３５までの処理と、ステップＳ３７からステップＳ３９までの処理とは、ユーザにより画像形成装置１０１と携帯端末４０１とのいずれが先に接続待ち状態にされるかによって、順番が前後してもよい。
【０１２６】
画像形成装置１０１と携帯端末４０１とがそれぞれ接続待ち状態になると、ユーザにより、操作入力が実行される（ステップＳ２３、ステップＳ２４）。
【０１２７】
ステップＳ４１において、画像形成装置１０１側では、ユーザの操作に対応するＭＦＰ操作情報７３が操作パネル１１１で得られ、これが接続判断部７１に送信される。
【０１２８】
ステップＳ４３において、携帯端末４０側では、ユーザの操作に対応する端末操作情報７５が得られ、これが接続判断部７１に送信される。
【０１２９】
ステップＳ４５において、接続判断部７１は、ＭＦＰ操作情報７３と端末操作情報７５とを記憶する。
【０１３０】
ステップＳ５０において、接続判断部７１は、画像形成装置１０１との接続を確立させる対象となる携帯端末（接続対象端末）の検索を開始する。なお、携帯端末の検索は、例えば、ＭＦＰ操作情報７３及び端末操作情報７５の一方又は両方が最後に記憶されてから所定時間後に行われるようにしてもよいし、任意のタイミングで行われてもよい。また、画像形成装置１０１や携帯端末４０１から送信された検索を求める指示が接続判断部７１に受信されたときに行われるようにしてもよい。
【０１３１】
ステップＳ６１において、接続判断部７１は、端末の検索を行う。ＣＰＵ２１は、操作情報７３，７５のサーチを行い、画像形成装置１０１で行われた操作と同一の操作が行われたとみられる携帯端末４０１を特定する。換言すると、接続判断部７１は、操作情報７３，７５を互いに比較し、操作パネル１１１と携帯端末とのそれぞれへのユーザによる操作入力が互いに対応するものであるか否かを判断する。
【０１３２】
携帯端末４０１が特定されると、ステップＳ６３において、接続判断部７１から画像形成装置１０１と携帯端末４０１とのそれぞれに又は一方に対して、接続許可情報が通知される。
【０１３３】
ステップＳ６５において、接続判断部７１から画像形成装置１０１側には、接続を許可する旨の情報と、接続が許可される相手の端末のＩＤとして、携帯端末４０１の端末ＩＤが送信される。これにより、画像形成装置１０１は、携帯端末４０１と接続を確立する。すなわち、画像形成装置１０１に、携帯端末４０１が通信可能なものとして登録され、互いに無線通信可能になる。
【０１３４】
ステップＳ６７において、画像形成装置１０１のＣＰＵ２１は、携帯端末４０１に、接続が確立した旨の通知を行う。
【０１３５】
ステップＳ６９において、携帯端末４０１のＣＰＵ４２１は、画像形成装置１０１に対し、印刷対象文書のデータを送信する。印刷対象文書のデータは、画像形成装置１０１と携帯端末４０１との接続が確立されたことで、無線通信により、送信可能となる。画像形成装置１０１と携帯端末４０１との接続が確立されるまで、文書データの送受信は行うことができないように、ユーザの権限は制御されている。換言すると、接続が確立されるまでは、文書データの送受信操作は禁止されている。接続が確立されると、無線通信が可能になるとともに、文書データを送受信するのに必要な権限がユーザに付与される。この制御は、例えば、ＣＰＵ２１などにより行われる。
【０１３６】
ステップＳ７１において、画像形成装置１０１のＣＰＵ２１は、受信した印刷対象文書のデータに基づいて、印刷を行う。これにより、タッチアンドプリント動作が終了し、ユーザが印刷物を受け取ることが可能になる。
【０１３７】
なお、ユーザによる印刷対象文書の指定操作は、接続確立動作が行われた後、すなわち画像形成装置１０１と携帯端末４０１との接続が確立した後に行われるようにしてもよい。携帯端末４０１は、画像形成装置１よりも早い時期に、接続待ち状態へされるようにしてもよい。
【０１３８】
ここで、上述のような一連の接続確立動作に伴って、携帯端末４０１に関する端末ＩＤなどに基づいて、画像形成装置１０１におけるユーザ認証を行うようにしてもよい。これは、次のような構成によって行うことができる。すなわち、認証データベースには、予め、画像形成装置１０１で認証可能なユーザに関連付けて、そのユーザが使用する携帯端末４０１の端末ＩＤなどが記録されている。画像形成装置１０１と携帯端末４０１との間で接続確立動作が行われて、接続が確立された携帯端末４０１の端末ＩＤが送られると、ＣＰＵ２１は、その端末ＩＤに対応するユーザについて、ユーザ認証を行う。これにより、ユーザは、別途パスワードなどを登録することなく、容易な操作を行うだけでユーザ認証を行うことができる。なお、画像形成装置１０１は、認証が確立したとき、携帯端末４０１の端末ＩＤに基づいてユーザ認証を行おうとするユーザを判別し、対応するパスワードの入力のみをユーザに求めるようにしてもよい。また、画像形成装置１０１と携帯端末４０１との接続が確立されたか否かに加えて、ユーザ認証が行われたか否かに応じて、文書データの送受信に関する権限が制御されるようにしてもよい。
【０１３９】
［接続確立動作が行われるときの各装置の具体的な動作の説明］
【０１４０】
図８は、接続確立動作の実行時に画像形成システム５０１で行われる処理を示す第１のフローチャートである。
【０１４１】
接続確立動作が実行されると、携帯端末４０１側と画像形成装置１０１側とでそれぞれ、操作情報が取得される。図８においては、主に、端末操作情報７５が取得されるまでの携帯端末４０１側における処理が示されている。
【０１４２】
すなわち、ステップＳ１１１において、携帯端末４０１のＣＰＵ４２１は、携帯端末４０１が画像形成装置１０１などの情報装置との接続待ち状態となったか否かを確認する。接続待ち状態となれば、次のステップＳ１１２の処理に進む。
【０１４３】
ステップＳ１１２において、ＣＰＵ４２１は、画像形成装置１０１との接続が確立されたときに画像形成装置１０１に送信する送信ファイルが指定されたか否かを確認する。ＣＰＵ４２１は、例えば上述のようにしてユーザに所定の画面を提示し、ユーザに送信ファイルの選択を促したうえで、ユーザによる送信ファイルの選択を受け付けることで行われる。
【０１４４】
ステップＳ１１２で送信ファイルが指定されると、ステップＳ１１３において、ユーザは、携帯端末４０１を操作パネル１１１の隣にセットする。すなわち、携帯端末４０１は、操作パネル１１１の表示部１３１に隣接するようにして配置し、この後の携帯端末４０１及び操作パネル１１１へのユーザの入力操作が容易に行えるようにする。なお、このとき、携帯端末４０１及び操作パネル１１１の一方又は両方が、携帯端末４０１と操作パネル１１１とが所定の態様で互いに近接する位置に配置されているか否かを検知できるように構成されていてもよい。これは、例えば、携帯端末４０１及び操作パネル１１１の一方又は両方に、種々の方式のセンサを設けることなどにより行うことができる。
【０１４５】
携帯端末４０１が操作パネル１１１の隣にセットされると、ユーザによる所定の入力操作が行われる。ステップＳ１１４において、ＣＰＵ４２１は、携帯端末４０１の表示部４３１に行われたユーザの操作入力が完了したか否かを判断する。操作入力が完了した場合には、次の処理に進む。
【０１４６】
ステップＳ１１４において操作入力が完了したと判断したときは、ステップＳ１１５において、ＣＰＵ４２１は、画像形成装置１０１にその操作入力に関する端末操作情報７５を送信する。端末操作情報７５は、画像形成装置１０１の本体１１に対して送信される。
【０１４７】
図９は、接続確立動作の実行時に画像形成システム５０１で行われる処理を示す第２のフローチャートである。
【０１４８】
図９においては、主に、画像形成装置１０１側における、ＭＦＰ操作情報７３が取得され、操作情報７３，７５が接続判断部７１により取得されるまでの処理が示されている。ＭＦＰ操作情報７３の取得は、主に画像形成装置１０１のＣＰＵ２１の制御に基づいて各部が機能することで行われるものとして説明するが、これに限られない。例えば、ＭＦＰ操作情報７３が本体１１に送信されるまでの動作は、主に操作パネル１１１の制御部１２１の制御に基づいて行われるようにしてもよい。
【０１４９】
すなわち、ステップＳ１２１において、画像形成装置１０１のＣＰＵ２１は、画像形成装置１０１が携帯端末４０１などの携帯端末との接続待ち状態となったか否かを確認する。接続待ち状態となれば、次のステップＳ１２２の処理に進む。
【０１５０】
接続待ち状態となったら、上述のように、操作パネル１１１の隣に携帯端末４０１が配置され、ユーザによる操作入力が行われる。ステップＳ１２２において、ＣＰＵ２１は、操作パネル１１１の表示部１３１に行われたユーザの操作入力が完了したか否かを判断する。操作入力が完了した場合には、次の処理に進む。
【０１５１】
ステップＳ１２２において操作入力が完了したと判断したときは、ステップＳ１２３において、操作パネル１１１の制御部１２１は、画像形成装置１０１の本体１１に対して、その操作入力に関するＭＦＰ操作情報７３を送信する。なお、上述のように、携帯端末４０１への操作入力と操作パネル１１１への操作入力は略同時に行われ、操作情報７３，７５の本体１１への送信も略同時期に行われる。
【０１５２】
操作情報７３，７５（データ）が本体１１に送信されると、ステップＳ１２４において、ＣＰＵ２１は、それらのデータを受信する。受信された操作情報７３，７５は、接続判断部７１に記憶される。
【０１５３】
ステップＳ１２５において、ＣＰＵ２１は、操作情報７３，７５のデータ受信が完了したか否かを検知する。データ受信が完了したら、次図に記載の処理に進む。
【０１５４】
図１０は、接続確立動作の実行時に画像形成システム５０１で行われる処理を示す第３のフローチャートである。
【０１５５】
図１０においては、操作情報７３，７５に基づいて携帯端末４０１と画像形成装置１０１との接続が確立され、送信ファイルのデータ（印字データ）が印字（印刷）されるまでの処理が示されている。
【０１５６】
ステップＳ１３１において、接続判断部７１は、ＣＰＵ２１の制御の下、受信したデータの比較、すなわち操作情報７３，７５の比較を開始する。本実施の形態において、操作情報７３，７５は、それぞれ、表示部１３１，４３１において、ユーザの操作位置（ユーザが接触した位置）が移動した軌跡を示す情報が含まれる。すなわち、ＭＦＰ操作情報７３には、操作パネル１１１の表示部１３１のタッチパネル上におけるユーザによる操作入力が行われた位置の情報を一定周期でサンプリングして得られる移動軌跡情報が含まれる。また、端末操作情報７５には、携帯端末４０１の表示部４３１のタッチパネル上におけるユーザによる操作入力が行われた位置の情報を一定周期でサンプリングして得られる移動軌跡情報が含まれる。接続判断部７１は、操作パネル１１１と携帯端末４０１とのそれぞれになされた操作入力について、操作位置の移動軌跡を比較する。
【０１５７】
ステップＳ１３２において、接続判断部７１は、ＣＰＵ２１の制御の下、操作情報７３，７５が互いに一致するものであるか否かを判断する。すなわち、接続判断部７１は、ユーザによる画像形成装置１０１に対する操作入力と携帯端末４０１に対する操作入力とが互いに対応するものであるか否かの判断を行う。ここで、「操作情報７３，７５が一致すること」には、両者が完全に一致する場合のみだけでなく、両者の類似度が所定の程度よりも高い場合も含まれる。すなわち、操作情報７３，７５が互いに若干異なるものであっても、異なる点が単に操作のぶれなど誤差などによるものであって互いに同じものを示していると判断できる場合がある。このような場合には、操作情報７３，７５は互いに一致する、すなわちユーザの操作は互いに対応する同一のものであると判断できる。
【０１５８】
ステップＳ１３２において一致していないときには、ステップＳ１３３において、ＣＰＵ２１は、データの再入力を行うか否かを決定する。データの再入力を行う場合には、ステップＳ１３２の処理に戻る。他方、データの再入力を行わない場合には、一連の処理を終了する。この場合、画像形成装置１０１と携帯端末４０１との接続は確立されないことになり、そのため、タッチアンドプリント機能も中断され、送信ファイルの印刷が行われないことになる。
【０１５９】
ステップＳ１３２において一致しているときには、接続判断部７１は、画像形成装置１０１と携帯端末４０１とは互いに無線接続を確立できるものと判断する。ステップＳ１３４において、ＣＰＵ２１は、画像形成装置１０１と携帯端末４０１との無線接続を確立させる。
【０１６０】
画像形成装置１０１と携帯端末４０１との接続が確立されると、ステップＳ１３５において、印字データの受信処理が行われる。印字データの受信処理は、接続確立動作に先だって設定されていた、タッチアンドプリント機能の実行時に行われる処理である。印字データの受信処理は、画像形成装置１０１と携帯端末４０１との接続が確立される前には実行することが禁止されていた機能であって、接続が確立されてデータの送受信が行えるようになることにより、実行可能となる。換言すると、ＣＰＵ２１は、接続が確立されたとき、接続確立以前には実行することが禁止されていた印字データの受信処理の実行を許可する。
【０１６１】
図１１は、印字データ受信処理を示すフローチャートである。
【０１６２】
ステップＳ１４１において、画像形成装置１０１側では、ＣＰＵ２１が、通信完了レポートを携帯端末４０１に送信する。
【０１６３】
ステップＳ１４２において、携帯端末４０１側では、ＣＰＵ４２１が、画像形成装置１０１から送信された通信完了レポートを受信する。
【０１６４】
通信完了レポートを受信すると、ステップＳ１４３において、ＣＰＵ４２１は、印字データを画像形成装置１０１に送信する。予め指定されていた送信ファイルのデータが、印字データとして、携帯端末４０１から画像形成装置１０１に送信される。
【０１６５】
画像形成装置１０１側では、ＣＰＵ２１が、携帯端末４０１から送信された印字データを受信する。ステップＳ１４４において、ＣＰＵ２１は、印字データの受信が完了したことを確認する。印字データの受信が完了したら、図１０の処理に戻る。
【０１６６】
図１０に戻って、ステップＳ１３６において、ＣＰＵ２１は、受信した印字データに基づいて、データの印刷（印字）を実行させる。これにより、携帯端末４０１に記憶されている、携帯端末４０１で指定されたデータについて、印刷物が出力される。
【０１６７】
このように、本実施の形態においては、接続判断部７１により、操作パネル１１１の表示部１３１上のユーザによる操作入力が行われた位置に関するＭＦＰ操作情報７３と、携帯端末４０１の表示部１３１上のユーザによる操作入力が行われた位置に関する端末操作情報７５とが比較される。これにより、接続判断部７１により、画像形成装置１０１と携帯端末４０１との両方へのユーザによる操作入力が互いに対応するものであるか否かが判断される。そして、判断結果に応じて、ＣＰＵ２１により、画像形成装置１０１と携帯端末４０１との無線接続が確立される。すなわち、本実施の形態によれば、ＰＩＮコードの入力など煩雑な作業を行うことなく、画像形成装置１０１と携帯端末４０１との間で、簡易な操作により、両デバイスが互いに通信できる連携状態を確立させる（接続を確立させる）ことができる。接続が確立されると、通信部５１，４５１の無線インターフェイス経由で、携帯端末４０１内のファイル（ＰＤＦ形式のファイルやその他文書形式のファイルなど）を画像形成装置１０１に転送させることができる。ユーザは、認証コードの入力作業などの煩雑な作業を行う必要なく、画像形成装置１０１と携帯端末４０１との接続を容易に確立させることができる。
【０１６８】
［第１の実施の形態の変型例（変型例１）の説明］
【０１６９】
第１の実施の形態において、接続判断部７１は、ユーザの操作入力に関して、移動軌跡情報のみならず、操作時刻情報にも基づいて、両操作情報７３，７５が互いに一致するものであるか否かを判断するようにしてもよい。
【０１７０】
図１２は、第１の実施の形態の変型例の１つに係る画像形成システム５０１の動作を示すフローチャートである。
【０１７１】
図１２には接続確立動作の実行時の処理の一部が示されており、この部分の処理は、第１の実施の形態において行われるもの（図１０に示す部分）に対応するものである。図１２に示される処理のうち、ステップＳ２３２〜ステップＳ２３６の処理は、図１０に示されるステップＳ１３２〜ステップＳ１３６の処理と同一である。すなわち、本変型例において接続確立動作が行われるとき、ステップＳ２３１の処理を除いて、第１の実施の形態と同様の動作が行われる。
【０１７２】
本変型例において、ＭＦＰ操作情報７３には、操作パネル１１１の表示部１３１にユーザにより操作入力が行われた第１の操作時刻に関する操作時刻情報が含まれている。また、端末操作情報７５には、携帯端末４０１の表示部４３１にユーザにより操作入力が行われた第２の操作時刻に関する操作時刻情報が含まれている。
【０１７３】
これらの操作情報７３，７５が接続判断部７１に記憶されると、ステップＳ２３１において、接続判断部７１は、操作情報７３，７５の比較を行う。このとき、操作情報７３，７５に含まれる移動軌跡情報と操作時刻情報とのそれぞれについて、比較が行われる。接続判断部７１は、操作情報７３，７５のそれぞれの移動軌跡情報が互いに一致すると判断でき、かつ、操作情報７３，７５のそれぞれの操作時刻情報が互いに一致すると判断できたとき、操作情報７３，７５が一致したと判断する。操作情報が一致したと判断されると、ＣＰＵ２１が、画像形成装置１０１と携帯端末４０１とを接続させる（ステップＳ１３２、ステップＳ２３４）。
【０１７４】
ここで、「両者の操作時刻情報が互いに一致すること」には、両者が完全に一致する場合のみだけでなく、両者が示す操作時刻が所定の時間範囲内に納まる場合も含まれる。すなわち、画像形成装置１０１側と携帯端末４０１側とで操作時刻が若干異なっていても、その時間差が所定時間以内であれば、ユーザが操作を行った操作時刻は互いに同じであって、ユーザの操作は互いに対応するものである可能性が高いと判断できる。
【０１７５】
このように、本変型例においては、移動軌跡だけでなく、操作時間の観点もふまえて、操作情報７３，７５が比較される。接続判断部７１は、画像形成装置１０１に行われた操作入力と携帯端末４０１に行われた操作入力とが互いに対応するものであるか否かより的確に判断できるので、ＣＰＵ２１は、確実に、画像形成装置１０１と携帯端末４０１との接続を確立させることができる。
【０１７６】
［第１の実施の形態の変型例（変型例２）の説明］
【０１７７】
第１の実施の形態において、接続判断部７１は、ＭＦＰ操作情報７３及び端末操作情報７５のそれぞれに基づいて、ＭＦＰ操作情報７３及び端末操作情報７５のそれぞれを文字情報として認識してもよい。そして、接続判断部７１は、ＭＦＰ操作情報７３に対応する文字情報と端末操作情報７５に対応する文字情報とが一致するか否かに応じて、ユーザの操作入力が互いに対応するものか否かの判断を行うようにしてもよい。
【０１７８】
図１３は、上記とは異なる第１の実施の形態の変型例の１つに係る画像形成システム５０１の動作を示すフローチャートである。
【０１７９】
図１３には、接続確立動作の実行時の処理の一部が示されており、この部分の処理は、第１の実施の形態において行われるもの（図１０に示す部分）に対応するものである。図１３に示される処理のうち、ステップＳ３３２〜ステップＳ３３６の処理は、図１０に示されるステップＳ１３２〜ステップＳ１３６の処理と同一である。すなわち、本変型例において接続確立動作が行われるとき、ステップＳ３２１，ステップＳ３２２、及びステップＳ３３１の処理を除いて、第１の実施の形態と同様の動作が行われる。
【０１８０】
本変型例において、操作情報７３，７５が接続判断部７１に記憶されると、ステップＳ３２１において、接続判断部７１は、操作情報７３，７５が文字情報へ変換可能であるか否かを確認する。
【０１８１】
例えば、操作情報７３，７５に基づいて、操作情報７３，７５が文字を示すものであると確認できた場合には、ステップＳ３２２の処理が行われる。すなわち、接続判断部７１は、操作情報７３，７５に基づいて文字情報を生成する（文字情報への変換処理を行う）。
【０１８２】
これに対して、操作情報７３，７５が文字を示すものではない、例えば図形などを示すものであると確認された場合には、文字情報への変換処理を行わない。
【０１８３】
ステップＳ３３１において、接続判断部７１は、操作情報７３，７５に基づく情報同士を比較する。このとき、ステップＳ３２２において文字情報に変換された情報があれば、その情報同士が比較される。すなわち、本変型例においては、操作情報７３，７５について、変換された文字情報同士を比較することにより、操作情報７３，７５が互いに一致するか否かを判断する。ここで、ＭＦＰ操作情報７３に基づく文字情報と端末操作情報７５に基づく文字情報とを比較するとき、両文字情報が互いに完全に一致する場合にのみならず、互いに類似する度合いがある程度以上あるときに、両者が一致すると判断するようにしてもよい。比較した結果、文字情報同士が一致する場合には、画像形成装置１０１側の操作入力と携帯端末４０１側の操作入力とが互いに対応するものであると判断できる。
【０１８４】
このように、本変型例では、ユーザの操作入力が互いに対応するものであるか否か、操作情報７３，７５を文字情報に変換したうえで判断できるので、容易に判断を行うことができる。なお、文字情報に変換不能と判断された場合や、その他の場合には、文字情報への変換を行わず、例えば操作情報７３，７５に含まれる移動軌跡情報などを比較してデータ比較を行うようにしてもよい。
【０１８５】
［第２の実施の形態］
【０１８６】
第２の実施の形態における画像形成システム５０１の基本的な構成は、第１の実施の形態におけるそれと同じであるためここでの説明を繰り返さない。第２の実施の形態においては、操作情報７３，７５の比較に際して、画像形成装置１０１側と携帯端末４０１側とで表示部１３１，４３１の解像度の差が考慮される点が、第１の実施の形態とは異なる。
【０１８７】
図１４は、操作パネル１１１の表示部１３１と、携帯端末４０１の表示部４３１とを比較して示す図である。
【０１８８】
例えば液晶ディスプレイなどの表示パネルとしては、種々の解像度を有するものがあり、操作パネル１１１の表示部１３１の解像度と、携帯端末４０１の表示部４３１の解像度とは異なる場合がある。
【０１８９】
図１４に示されるように、第２の実施の形態では、例えば、操作パネル１１１において、表示部１３１は、対角の寸法が８．５インチであって、画素数が８００×４８０ピクセルであるパネルである。すなわち、表示部１３１の解像度は、約１１０ｐｐｉ（ｐｉｘｅｌｓ  ｐｅｒ  ｉｎｃｈ）である。他方、携帯端末４０１において、表示部４３１は、対角の寸法が３．５インチであって、画素数が９６０×６４０ピクセルであるパネルである。すなわち、表示部４３１の解像度は、約３３０ｐｐｉである。表示部４３１は、表示部１３１と比べて、３倍ほど高い解像度を有している。
【０１９０】
第２の実施の形態では、接続判断部７１は、各表示部１３１，４３１の解像度情報を取得する。そして、解像度情報に応じて、操作情報７３，７５の比較を行う。
【０１９１】
図１５は、第２の実施の形態に係る画像形成システム５０１の動作を示すフローチャートである。
【０１９２】
図１５には、接続確立動作の実行時の処理の一部が示されており、この部分の処理は、第１の実施の形態において行われるもの（図１０に示す部分）に対応するものである。図１５に示される処理のうち、ステップＳ４３１〜ステップＳ４３６の処理は、図１０に示されるステップＳ１３１〜ステップＳ１３６の処理と同一である。すなわち、本変型例において接続確立動作が行われるとき、ステップＳ４２１及びステップＳ４２２の処理を除いて、第１の実施の形態と同様の動作が行われる。
【０１９３】
本変型例において、操作情報７３，７５が接続判断部７１に記憶されると、ステップＳ４２１において、接続判断部７１は、操作パネル１１１の表示部１３１の解像度と携帯端末４０１の表示部４３１の解像度とが異なるか否かを確認する。
【０１９４】
表示部１３１，４３１の解像度が互いに同じであれば、接続判断部７１は、特に補正処理を行わず、得られている操作情報７３，７５に基づいて、比較を行う（ステップＳ４３１）。
【０１９５】
他方、ステップＳ４２１において表示部１３１，４３１の解像度が異なる場合には、ステップＳ４２２に進む。すなわち、接続判断部７１は、軌跡情報補正処理を行う。軌跡情報補正処理は、ＭＦＰ操作情報７３及び端末操作情報７５のうち一方を、表示部１３１，４３１の解像度の比に基づいて、他方のパネルで同様のユーザの操作が行われたとしたら得られるであろう操作情報になるように、換算する処理である。
【０１９６】
図１６は、軌跡情報補正処理の一例を示す図である。
【０１９７】
ステップＳ４０１において、例えば、次のように操作が行われた場合を想定する。すなわち、携帯端末４０１の表示部４３１と操作パネル１１１の表示部１３１とのそれぞれに、ユーザにより、水平方向に長さが約３ｃｍの直線が引かれた場合である。
【０１９８】
このような操作が行われた場合、接続判断部７１が得る操作情報７３，７５及び解像度情報としては、例えば次のようになる（ステップＳ４０２）。ここで、操作情報７３，７５は、例えば移動開始点の座標と、移動終了地点の座標とで示されるものとする。
【０１９９】
すなわち、端末操作情報７５及び表示部４３１の解像度情報については、以下のとおりである。
解像度＝３３０［ｐｐｉ（ｐｉｘｅｌ／ｉｎｃｈ）］
開始座標＝（Ｘａ，Ｙａ）
終了座標＝（Ｘａ＋３９０，Ｙａ）
【０２００】
他方、ＭＦＰ操作情報７３及び表示部１３１の解像度情報については、以下のとおりである。
解像度＝１１０［ｐｐｉ（ｐｉｘｅｌ／ｉｎｃｈ）］
開始座標＝（Ｘａ，Ｙａ）
終了座標＝（Ｘａ＋１３０，Ｙａ）
【０２０１】
接続判断部７１は、表示部１３１，４３１の解像度が互いに異なるので、操作情報７３，７５の補正を行う。ここでは、例えば、携帯端末４０１の端末操作情報７５が、表示部１３１，４３１の解像度の比に基づいて補正される（ステップＳ４０３）。
【０２０２】
すなわち、接続判断部７１は、携帯端末４０１の終了座標（Ｘａ＋３９０，Ｙａ）について、次式のようにして補正し、補正後終了座標を求める。
【０２０３】
（補正後終了座標）＝Ｘａ＋３９０／（１１０／３３０）＝Ｘａ＋１３０
【０２０４】
補正後終了座標が求められると、ステップＳ４０４において、ＭＦＰ操作情報７３と補正後の端末操作情報７５とが比較され、互いに一致するか否かが判断される。本例において、携帯端末４０１側の補正後終了座標は、上述のように（Ｘａ＋１３０、Ｙａ）となり、移動軌跡は（１３０，０）となる。これは、操作パネル１１１側の移動軌跡（１３０，０）に一致する。したがって、本例では、携帯端末４０１と操作パネル１１１とで移動軌跡が一致すると判断される。
【０２０５】
第２の実施の形態では、このように、解像度の違いが考慮されて、各操作情報７３，７５の比較が行われる。したがって、より正確に、操作パネル１１１側と携帯端末４０１側とでユーザの操作入力が同じものか否かを判定することができる。
【０２０６】
［第３の実施の形態］
【０２０７】
第３の実施の形態における画像形成システム５０１の基本的な構成は、第１の実施の形態におけるそれと同じであるため、ここでの説明を繰り返さない。第３の実施の形態においては、ユーザの操作入力として、予め設定されたそのユーザに対する認証パスワードの入力が求められ、画像形成装置１０１と携帯端末４０１との接続の確立に伴ってユーザの認証が行われる点が、第１の実施の形態とは異なる。
【０２０８】
第３の実施の形態において、接続判断部７１は、基本的には、上記第１の実施の形態の変型例２と同様にして、ユーザの操作入力が互いに対応するものか否かの判断を行う。すなわち、接続判断部７１は、ＭＦＰ操作情報７３及び端末操作情報７５のそれぞれを文字情報として認識し、ＭＦＰ操作情報７３に対応する文字情報と端末操作情報７５に対応する文字情報とが一致するか否かに応じて、ユーザの操作入力が互いに対応するものか否かの判断を行う。また、この処理と共に、接続判断部７１は、例えば、両文字情報すなわちユーザにより入力された文字が、予め設定されたユーザに対する認証パスワードと一致するか否かを判断する。接続判断部７１によって、ユーザの操作入力が互いに対応するものであって、ユーザにより入力された文字が認証パスワードと一致すると判断されたとき、ＣＰＵ２１は、画像形成装置１０１と携帯端末４０１との接続を確立させる。
【０２０９】
図１７は、第３の実施の形態に係る画像形成システム５０１の動作を示すフローチャートである。
【０２１０】
図１７には、接続確立動作の実行時の処理の一部が示されており、この部分の処理は、第１の実施の形態の変形例２において行われるもの（図１３に示す部分）に対応するものである。図１７に示される処理のうち、ステップＳ５２１及びステップＳ５２２の処理は、図１３に示されるステップＳ３２１及びステップＳ３２２の処理と同一である。また、ステップＳ５３２〜ステップＳ５３６の処理は、図１３に示されるステップＳ３３２〜ステップＳ３３６の処理と同一である。すなわち、第３の実施の形態において接続確立動作が行われるとき、ステップＳ５３１の処理を除いて、第１の実施の形態の変型例２と同様の動作が行われる。
【０２１１】
第３の実施の形態において、操作情報７３，７５が接続判断部７１に記憶されると、操作情報７３，７５が文字を示すものであると確認できた場合には、ステップＳ３２２において、それが文字情報へ変換される（ステップＳ５２１、ステップＳ５２２）。
【０２１２】
ステップＳ５３１において、接続判断部７１は、操作情報７３，７５に基づく情報同士を比較する。このとき、ステップＳ５２２において文字情報に変換された情報があれば、その情報同士が比較される。すなわち、第３の実施の形態においては、操作情報７３，７５について、変換された文字情報同士を比較することにより、操作情報７３，７５が互いに一致するか否かを判断する。ここで、ＭＦＰ操作情報７３に基づく文字情報と端末操作情報７５に基づく文字情報とを比較するとき、両文字情報が互いに完全に一致する場合にのみならず、互いに類似する度合いがある程度以上あるときに、両者が一致すると判断するようにしてもよい。比較した結果、文字情報同士が一致する場合には、画像形成装置１０１側の操作入力と携帯端末４０１側の操作入力とが互いに対応するものであると判断できる。
【０２１３】
ここで、このとき、接続判断部７１は、両文字情報が、画像形成装置１０１についてユーザが認証されるために必要なものとして設定されている認証パスワードに一致するか否かを判断する。
【０２１４】
接続判断部７１は、ステップＳ５３２において、ユーザの操作入力が画像形成装置１０１側と携帯端末４０１側とで互いに一致する場合において、ユーザにより入力された文字が認証パスワードに一致すると判断したとき、画像形成装置１０１と携帯端末４０１との接続を確立可能であると判断する。
【０２１５】
なお、この認証パスワードに一致するか否かの判断は、ＣＰＵ２１が認証管理部８１などを制御することにより行われるようにしてもよい。また、接続判断部７１は、画像形成装置１０１側と携帯端末４０１側とで互いに一致すると判断できれば、認証パスワードへの一致が確認できなくても、画像形成装置１０１と携帯端末４０１との接続を確立可能であると判断してもよい。この場合、後述のようなユーザ認証がこの時点では行われないようにすればよい。
【０２１６】
第３の実施の形態においては、上述のようにして変換されたユーザの操作入力に基づく文字情報と、予め設定されたそのユーザに対する認証パスワードとが互いに一致するときには、ユーザ認証が行われる。これにより、ユーザは、接続の確立と同時に、ユーザ認証を行うことができる。接続の確立により実行させる動作が、ユーザ認証を必要とする場合においても、容易にかつ確実に、ユーザ認証を行うことができ、ユーザの手間を相当軽減することができる。
【０２１７】
図１８は、第３の実施の形態において接続確立動作を実行しているときに行われる操作の一例を説明する第１の図である。図１９は、第３の実施の形態において接続確立動作を実行しているときに行われる操作の一例を説明する第２の図である。
【０２１８】
第３の実施の形態の接続確立動作の一例を説明する。図１８に示されるように、接続確立動作が開始されると、ステップＳ５１０において、携帯端末４０１が接続待ち状態とされる。このとき、携帯端末４０１の表示部４３１には、接続待ち状態である旨を示す表示と共に、ユーザ名の入力を求める表示が行われる。ユーザは、ユーザ名の入力エリアに自身のユーザ名を入力し（入力は、適当な公知の方法で行えるようにすればよい。）、ユーザ名の入力を確定する指示（例えば、表示されている「ＯＫ」ボタンの操作）を行う。
【０２１９】
ユーザ名の入力が行われると、ステップＳ５１１において、送信ファイルの指定が行われる。また、ステップＳ５１２において、携帯端末４０１は、画像形成装置１０１が接続待ち状態になるまで待機状態となる。
【０２２０】
携帯端末４０１で送信ファイルの指定までが行われ、かつ、携帯端末４０１で画像形成装置１０１が接続待ち状態となったことが検知されると、ステップＳ５１３において、ユーザに操作入力の準備を確認する表示が行われる。ここでは、例えば、操作入力として、認証パスワードを入力する旨の指示が表示される。
【０２２１】
ステップＳ５１３で「ＯＫ」が操作されると、ステップＳ５１４に進む。
【０２２２】
図１９に移って、ステップＳ５１４において、携帯端末４０１及び画像形成装置１０１は、ユーザの操作入力を受け付ける。ユーザは、携帯端末４０１及び画像形成装置１０１の操作パネル１１１のそれぞれに対して、互いに同様の操作を行う。
【０２２３】
ユーザは、携帯端末４０１と操作パネル１１１とを並べた状態で、接続画面の入力エリア１３５，４３５の両方に、略同時に、共に略同一内容の入力を行う。第３の実施の形態においては、このとき、ユーザは、認証パスワードを入力する。
【０２２４】
ここでは、例えば、認証パスワードとして、「ａｂｃｄ」という文字の手書き入力が行われる場合を想定する。このとき、ユーザは、手９００の親指９０１で、入力エリア１３５に、「ａｂｃｄ」の文字９６１の手書き入力を行う。また、ユーザは、人差し指９０２で、入力エリア４３５に、「ａｂｃｄ」の文字９６２の手書き入力を行う。
【０２２５】
このように入力が行われると、接続判断部７１は、入力内容に基づくＭＦＰ操作情報７３及び端末操作情報７５について、文字認識を行う。文字認識の結果、ＭＦＰ操作情報７３と端末操作情報７５とのそれぞれから、「ａｂｃｄ」の文字が得られる。接続判断部７１は、この文字が両者で一致しているか否か、及び入力されるべき認証パスワードに一致するか否かの判断を行う。なお、認証パスワードとしては、ステップＳ５１０で入力された認証されるべきユーザについて予め設定されているものに、一致するか否かが判断されるようにすればよい。
【０２２６】
操作情報７３，７５のそれぞれの文字認識結果が互いに一致し、認証パスワードにも一致する場合には、画像形成装置１０１と携帯端末４０１との接続を確立させることができ、それとともに、ユーザ認証が行われる。ユーザ認証が行われることにより、認証されたユーザに、所定の範囲の実行権限が与えられ、ユーザはそれに応じた機能を実行させることが可能になる。
【０２２７】
［第４の実施の形態］
【０２２８】
第４の実施の形態における画像形成システム５０１の基本的な構成は、第１の実施の形態におけるそれと同じであるためここでの説明を繰り返さない。第４の実施の形態においては、画像形成装置１０１と携帯端末との接続を確立させて行う連携動作として、例えば画像形成装置１０１の操作を行うための操作画面を表示するＭＦＰ画面表示機能が行われる。
【０２２９】
第４の実施の形態において、ＭＦＰ画面表示機能が行わると、操作パネル１１１で表示される画像形成装置１０１の操作画面と同じ画面が、携帯端末４０１の表示パネルに表示される。ユーザは、携帯端末４０１側で表示された操作画面を見て、画像形成装置１０１の動作状態などを確認することができる。また、ユーザは、操作パネル１１１に対して行うのと同じように、携帯端末４０１側で表示された操作画面に応じて携帯端末４０１上で操作入力を行うことで、画像形成装置１０１の操作を行うことができる。ユーザが携帯端末４０１に対して操作を行うと、その操作情報が画像形成装置１０１に送られ、画像形成装置１０１がそれに応じて動作する。
【０２３０】
ＭＦＰ画面表示機能が実行されるとき、画像形成装置１０１と携帯端末４０１との接続が確立していなければ、まず、この接続を確立するための接続確立動作が行われる。第４の実施の形態において、接続確立動作は、上述の第１の実施の形態におけるそれと同様にして行うようにすればよい。接続が確立されると、画像形成装置１０１から携帯端末４０１に操作画面に関する情報が送信され、その情報に基づいて、携帯端末４０１において操作画面が表示される。
【０２３１】
図２０は、第４の実施の形態に係る画像形成システム５０１の動作を示すフローチャートである。
【０２３２】
図２０には、ＭＦＰ画面表示機能に伴う接続確立動作の実行時の処理の一部が示されており、この部分の処理は、第１の実施の形態において行われるもの（図１０に示す部分）に対応するものである。図２０に示される処理のうち、ステップＳ６３１〜ステップＳ６３４の処理は、図１０に示されるステップＳ１３１〜ステップＳ１３４の処理と同一である。なお、図には示さないが、第４の実施の形態においては、図８に示されているような、送信ファイルを指定する処理（ステップＳ１１２）は行われなくてもよい。
【０２３３】
図２０に示されるように、画像形成装置１０１と携帯端末４０１との接続が確立すると（ステップＳ６３４）、ステップＳ６３５において、ＣＰＵ２１は、携帯端末４０１の姿勢の検出を行う。なお、この処理は、操作情報７３，７５が互いに一致すると判断されたときにあわせて行われるようにしてもよい（例えば、ステップＳ６３２でＹＥＳの直後に行われてもよい。）。
【０２３４】
ここでは、例えば、携帯端末４０１側の操作入力の内容に基づいて、すなわち端末操作情報７５に基づいて、操作パネル１１１に対する携帯端末４０１の向きが検出される。ＣＰＵ２１は、端末操作情報７５についての文字認識処理を行い、端末操作情報７５を文字情報として認識する。そして、その結果に基づいて、操作パネル１１１に対する携帯端末４０１の向きを推定する。例えば、ＣＰＵ２１は、表示部４３１に対する、入力された文字の向きを見る。そして、文字の向きは常に操作パネル１１１の向きに一致するものとして、表示部４３１の向きすなわち携帯端末４０１の姿勢を検知する。
【０２３５】
なお、文字認識を行うことなく、操作位置の移動軌跡の向きなどから、携帯端末４０１の姿勢を検知するようにしてもよい。また、携帯端末４０１側で、文字認識を行ったり移動軌跡を考慮したりして、携帯端末４０１自体の姿勢を検知し、その検知結果が画像形成装置１０１側に送られることで、ＣＰＵ２１が携帯端末４０１の姿勢を検知できるようにしてもよい。
【０２３６】
ステップＳ６３６において、ＣＰＵ２１は、携帯端末４０１に向けて通信完了レポートを送信する。
【０２３７】
ステップＳ６３７において、ＣＰＵ２１は、接続確立後に携帯端末４０１に送る操作画面の画面データについて、操作画面の携帯端末４０１に対する向きを、携帯端末４０１の姿勢結果に合わせて補正する。
【０２３８】
ステップＳ６３８において、ＣＰＵ２１は、携帯端末４０１に、画面データを送信する。
【０２３９】
ステップＳ６３９において、携帯端末４０１側では、ステップＳ６３６において画像形成装置１０１から送られた通信完了レポートを受信する。
【０２４０】
ステップＳ６４０において、ＣＰＵ４２１は、ステップＳ６３８において画像形成装置１０１から送られた画面データを受信する。ＣＰＵ４２１は、画面データの受信が完了するまで待機する。
【０２４１】
ステップＳ６４０において携帯端末４０１からの画面データの受信が完了すると、ステップＳ６４１において、ＣＰＵ４２１は、受信した画面データに応じて、画面表示を行う。
【０２４２】
図２１は、ＭＦＰ画面表示機能において携帯端末の姿勢が縦方向であるときの動作の流れを示す図である。
【０２４３】
以下、例えば携帯端末４０１の一例として、タブレット型のタブレット端末６０１が用いられている場合について、ＭＦＰ画面表示機能の説明を行う。なお、タブレット端末６０１は、その表示部６３１が比較的大きいものであるが、その他の部分については、携帯端末４０１と同様のハードウェア構成を有している。タブレット端末６０１の表示部６３１は、縦方向が長く横方向が短い、縦長に構成されている。
【０２４４】
図２１に示されるように、ステップＳ６１０は、操作パネル１１１の表示部１３１の一例を示すものである。表示部１３１には、画像形成装置１０１の操作用の操作画面９４０が表示される。操作画面９４０は、横方向に長い横長の画像である。
【０２４５】
ＭＦＰ画面表示機能が開始されると、まず、画像形成装置１０１とタブレット端末６０１との接続確立動作が行われる。すなわち、ステップＳ６１１において、タブレット端末６０１の表示部６３１には、入力エリア６３５が表示され、操作パネル１１１の表示部１３１には、入力エリア１３５が表示される。そして、操作パネル１１１に隣接するように、タブレット端末６０１が配置される。本例では、タブレット端末６０１は、操作パネル１１１の上方に、操作パネル１１１に対して縦方向となる姿勢で配置された場合を想定する。
【０２４６】
タブレット端末６０１が配置されると、ユーザにより、操作入力が行われる。ここでは、「ＯＫ」の文字９５１，９５２が、それぞれ、入力エリア１３５，６３５に手書き入力される。接続判断部７１によって両者に対応する操作入力が行われたと判断され、画像形成装置１０１とタブレット端末６０１との接続が確立される。
【０２４７】
接続が確立されると、画像形成装置１０１からタブレット端末６０１に操作画面９４０に関する画面データが送信される。これに応じて、ステップＳ６１２において、タブレット端末６０１では、操作画面９４０に対応する操作画面９４０ａが表示される。
【０２４８】
このとき、画像形成装置１０１は、タブレット端末６０１の向き（縦方向）に対応する方向となるように操作画面９４０の画面データを補正し、補正した画面データをタブレット端末６０１に送る。したがって、タブレット端末６０１が縦方向である状態で、操作画面９４０ａが操作画面９４０と同じ横長の向きとなるようにして、操作画面９４０ａが表示される。
【０２４９】
図２２は、ＭＦＰ画面表示機能において携帯端末の姿勢が横方向であるときの動作の流れを示す図である。
【０２５０】
図２２に示されるように、ステップＳ６２０は、操作パネル１１１の表示部１３１の一例を示すものである。表示部１３１には、横長の操作画面９４０が表示される。
【０２５１】
ＭＦＰ画面表示機能が開始され、画像形成装置１０１とタブレット端末６０１との接続確立動作が行われる場合において、タブレット端末６０１が操作パネル１１１に対して横方向となる姿勢で配置されたときを想定する。すなわち、ステップＳ６２１において、操作パネル１１１に隣接するように、タブレット端末６０１が横方向（例えば、図２１のタブレット端末６０１の姿勢に対して、９０度左回りに回転した向き）に配置される。タブレット端末６０１が配置され、操作パネル１１１及びタブレット端末６０１の両者にユーザにより対応する操作入力が行われたと判断されると、画像形成装置１０１とタブレット端末６０１との接続が確立される。
【０２５２】
接続が確立されると、画像形成装置１０１からタブレット端末６０１に操作画面９４０に関する画面データが送信される。これにより、ステップＳ６２２において、表示部６３１に操作画面に対応する操作画面９４０ｂが表示される。
【０２５３】
このとき、画像形成装置１０１は、タブレット端末６０１の向き（横方向）に対応する方向となるように操作画面９４０の画面データを補正し、補正した画面データをタブレット端末６０１に送る。したがって、タブレット端末６０１が横方向である状態で、操作画面９４０ｂが操作画面９４０と同じ横長の向きとなるようにして、操作画面９４０ｂが表示される。
【０２５４】
このように、第４の実施の形態においては、携帯端末４０１（タブレット端末６０１）の向きが画像形成装置１０１側で把握され、それに応じて、その後の連携処理が行われる。したがって、ＭＦＰ画面表示機能においては適正に操作画面９４０ａ，９４０ｂを携帯端末４０１に表示させることができるなど、種々の優れた効果が得られる。携帯端末４０１側に姿勢を検知するためのセンサなどが設けられていなかったり、設けられていてもそれを利用できなかったりするような場合であっても、携帯端末４０１の向きを検知できる。したがって、適正な向きで画像形成装置１０１側から送信した画像を表示させたり、操作パネル１１１の表示画面に対応する向きで入力を受け付けたりすることができ、画像形成システム５０１の利便性をより高めることができる。
【０２５５】
［接続判断処理を行う主体についての変型例の説明］
【０２５６】
上記の各実施の形態において、接続確立処理は、画像形成装置１０１内に設けられた接続判断部７１を用いて行われるが、これに限られるものではない。例えば、携帯端末側や、画像形成装置及び携帯端末とは別に設けられたサーバ上に接続判断部が設けられており、その接続判断部により、接続判断処理が行われるようにしてもよい。
【０２５７】
図２３は、本発明の別の実施の形態の一例に係る画像形成システムの構成を示すブロック図である。
【０２５８】
図２３に示すように、画像形成システム７０１は、画像形成装置（情報処理装置の一例）７１０と、携帯端末（携帯型移動端末の一例）７２０とで構成されている。画像形成システム７０１において、携帯端末７２０が、画像形成装置７１０と携帯端末７２０との接続を確立することができるか否かを判断する接続制御装置として機能する。すなわち、画像形成システム７０１は、携帯端末７２０側で接続判断処理などが行われる点で画像形成システム５０１とは相違する。
【０２５９】
携帯端末７２０は、上述の実施の形態に係る携帯端末４０１に含まれる各部に加えて、接続判断部７７１を有している。接続判断部７７１は、上述の実施の形態に係る画像形成装置１０１に含まれる接続判断部７１と同様の構成を有している。接続判断部７７１は、ＭＦＰ操作情報７３と、端末操作情報７５とを取得し、記憶する。
【０２６０】
画像形成装置７１０は、画像形成装置１０１と比較して、接続判断部７１が含まれない本体７１１を有している点で相違する。その他の操作パネル１１１などの構成は、画像形成装置１０１と同様である。
【０２６１】
画像形成システム７０１では、次のようにして画像形成装置７１０と携帯端末７２０との接続を確立させる接続確立動作が行われる。このとき、ユーザが行う操作は、画像形成システム５０１で接続確立動作が行われるときに行われる操作と同一である。
【０２６２】
すなわち、接続確立動作が行われると、画像形成装置７１０で行われたユーザの操作に関するＭＦＰ操作情報７３は、携帯端末７２０に送られる。また、携帯端末７２０では、端末操作情報７５が得られる。接続判断部７７１は、これらの両操作情報７３，７５を取得して記録する。操作が終了すると、接続判断部７７１は、画像形成装置７１０への操作入力と携帯端末７２０への操作入力とが対応するものであることを判別する。判別できたときは、その旨の通知が、例えば画像形成装置７１０に送られ、ＣＰＵ２１により、画像形成装置７１０と携帯端末７２０との接続が確立される。又は、判別できたときには、ＣＰＵ４２１により、画像形成装置７１０と携帯端末７２０との接続が確立される。接続が確立されると、以後、ファイル転送やＭＦＰ画面表示機能など、所定の連携動作が実行可能になる。
【０２６３】
図２４は、本発明の別の実施の形態の他の一例に係る画像形成システムの構成を示すブロック図である。
【０２６４】
図２４に示すように、画像形成システム８０１は、画像形成装置７１０と、携帯端末４０１と、ネットワークサーバ８５０とで構成されている。画像形成装置７１０と、携帯端末４０１と、ネットワークサーバ８５０とは、互いにネットワーク８００に接続されている。ネットワーク８００は、例えばＬＡＮ（ローカルエリアネットワーク）である。
【０２６５】
画像形成システム８０１において、例えば画像形成装置７１０と携帯端末４０１との間でタッチアンドプリント動作などを行うためには、ネットワーク８００にそれぞれを接続する場合の通信プロトコルとは異なる通信プロトコル（例えば、Ｂｌｕｅｔｏｏｔｈ（登録商標）によるものなど）で、両者を無線通信可能に接続させる必要がある。このとき、接続確立動作が行われる。
【０２６６】
画像形成システム８０１において、ネットワークサーバ８５０が、画像形成装置７１０と携帯端末４０１との接続を確立することができるか否かを判断する接続制御装置として機能する。すなわち、画像形成システム８０１は、ネットワークサーバ８５０で接続判断処理などが行われる点で画像形成システム５０１とは相違する。
【０２６７】
画像形成装置７１０は、画像形成システム７０１に含まれるそれと同じように構成されている。また、携帯端末４０１は、画像形成システム５０１に含まれるそれと同じように構成されている。
【０２６８】
ネットワークサーバ８５０は、記憶部８２７と、通信制御部８５１と、接続判断部８７１とを有している。
【０２６９】
記憶部８２７は、例えばＨＤＤである。記憶部８２７には、例えばＣＰＵ（図示せず）により実行される制御プログラム８２７ａが記憶されている。
【０２７０】
通信制御部８５１は、ネットワーク８００に接続するための通信インターフェイスである。ネットワークサーバ８５０は、通信制御部８５１を介して、画像形成装置７１０及び携帯端末４０１のそれぞれと通信可能に接続されている。
【０２７１】
接続判断部８７１は、上述の実施の形態に係る画像形成装置１０１に含まれる接続判断部７１と同様の構成を有している。接続判断部８７１には、ＭＦＰ操作情報７３と、端末操作情報７５と記憶される。
【０２７２】
画像形成システム８０１では、次のようにして画像形成装置７１０と携帯端末４０１との接続を確立させる接続確立動作が行われる。このとき、ユーザが行う操作は、画像形成システム５０１で接続確立動作が行われるときに行われる操作と同一である。
【０２７３】
すなわち、接続確立動作が行われると、画像形成装置７１０に対して行われたユーザの操作に関するＭＦＰ操作情報７３は、ネットワークサーバ８５０に送られる。また、携帯端末４０１に対して行われたユーザの操作に関する端末操作情報７５も、ネットワークサーバ８５０に送られる。ネットワークサーバ８５０において、接続判断部８７１は、これらの操作情報７３，７５を取得して記録する。
【０２７４】
操作が終了すると、接続判断部８７１は、画像形成装置７１０への操作入力と携帯端末４０１への操作入力とが対応するものであることを判別する。判別できたときは、その旨の通知が、画像形成装置７１０と携帯端末４０１との少なくとも一方に送られる。これにより、画像形成装置７１０と携帯端末４０１との接続を確立することができる。すなわち、ネットワークサーバ８５０の接続判断部８７１は、画像形成装置７１０と携帯端末４０１との接続を確立させる。
【０２７５】
［その他］
【０２７６】
上述の各実施の形態の特徴部分の一部が適宜組み合わされて、画像形成システムが実現されていてもよい。
【０２７７】
操作パネルは、画像形成装置の本体に一体に取り付けられていてもよい。
【０２７８】
画像形成装置と携帯端末とには、位置情報検出部が設けられていてもよい。携帯端末は、例えば衛星利用測位システム（ＧＰＳ）によりその位置情報を取得可能であってもよい。このとき、携帯端末の位置情報と、画像形成装置においてＧＰＳにより又は予め別の方法で設定されていることで得られた位置情報とを鑑みて、接続確立可能か否かが判断されてもよい。例えば、上述のように画像形成装置と携帯端末とのそれぞれに対して行われたユーザの操作入力が対応するものであっても、携帯端末の位置と画像形成装置の位置とが離れていることが検知された場合には、接続が確立されないようにしてもよい。これにより、本来接続されるべきでない装置同士が偶然に誤って接続されることを確実に防止することができる。
【０２７９】
画像形成装置のＣＰＵ又は携帯端末のＣＰＵは、画像形成装置と携帯端末との接続が確立されたとき、操作入力を行ったユーザを判別し、判別したユーザに応じた特定の機能を自動的に呼び出し、実行させてもよい。この場合、予め、各ユーザに対し、呼出し対象となる機能が対応付けられている。ユーザの判別は、例えば、ユーザ認証を行う場合にあっては、ユーザ認証により行うことができる。また、ユーザ認証を行わない場合であっても、単に、例えば携帯端末に記録されたユーザ名などを判別したりすることで、ユーザを判別するようにしてもよい。例えば、各ユーザに対応する送信先情報を予め画像形成装置に登録しておき、ユーザにより接続確立動作が行われたとき、そのユーザに対応する送信先情報に、指定された情報を自動的に送信することなど、種々の機能を実行させることができる。
【０２８０】
画像形成装置のＭＦＰ操作情報及び携帯端末の端末操作情報のうち少なくとも一方は、例えば、いったん外部のサーバに送られてもよい。このとき、接続判断部が、そのサーバ経由でそれらの情報を取得するようにしてもよい。これにより、接続確立前に、接続の確立対象となる装置にアクセスすることなく、接続確立可能か否かを判断することができる。
【０２８１】
画像形成装置としては、モノクロ／カラーの複写機、プリンタ、ファクシミリ装置やこれらの複合機（ＭＦＰ）などいずれであってもよい。
【０２８２】
携帯型移動端末は、スマートフォンに限られず、他の携帯電話機や、ポータブル型のコンピュータなどいずれであってもよい。
【０２８３】
また、本発明に係る接続制御装置は、画像形成部を有しない画像読取装置（情報処理装置の一例）や、原稿読取部を有しない画像形成装置などにも、適用可能である。接続制御装置は、これらのほか、種々の情報処理装置と携帯型移動端末との接続を確立するものとして、これらの情報制御装置と携帯型移動端末とを含む無線通信システムに含まれる機器に、広く適用可能である。
【０２８４】
上述の実施の形態における処理は、ソフトウェアによって行っても、ハードウェア回路を用いて行ってもよい。
【０２８５】
上述の実施の形態における処理を実行するプログラムを提供することもできるし、そのプログラムをＣＤ−ＲＯＭ、フレキシブルディスク、ハードディスク、ＲＯＭ、ＲＡＭ、メモリーカードなどの記録媒体に記録してユーザに提供することにしてもよい。プログラムはインターネットなどの通信回線を介して、装置にダウンロードするようにしてもよい。上記のフローチャートで文章で説明された処理は、そのプログラムに従ってＣＰＵなどにより実行される。
【０２８６】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０２８７】
１１，７１１  画像形成装置本体
２１  ＣＰＵ
２３  記憶部
２３ａ  制御プログラム
５１  通信部
７１，７７１，８７１  接続判断部
７３  ＭＦＰ操作情報（第１の操作情報の一例）
７５  端末操作情報（第２の操作情報の一例）
８１  認証管理部
１０１，７１０  画像形成装置（情報処理装置の一例）
１１１  操作パネル
１３１  表示部（タッチパネルの一例）
１３３  操作位置検出部
１２１  画面制御部
１５１  通信部
４０１，７２０  携帯端末（携帯型移動端末の一例）
４２１  ＣＰＵ
４２３  記憶部
４２３ａ  制御プログラム
４３１  表示部（タッチパネルの一例）
４３３  操作位置検出部
４４１  画面制御部
４５１  通信部
５０１，７０１，８０１  画像形成システム
６０１  タブレット端末（携帯型移動端末の一例）
８００  ネットワーク
８５０  ネットワークサーバ
【図１】
0005765186.tif 000002
【図２】
0005765186.tif 000003
【図３】
0005765186.tif 000004
【図４】
0005765186.tif 000005
【図５】
0005765186.tif 000006
【図６】
0005765186.tif 000007
【図７】
0005765186.tif 000008
【図８】
0005765186.tif 000009
【図９】
0005765186.tif 000010
【図１０】
0005765186.tif 000011
【図１１】
0005765186.tif 000012
【図１２】
0005765186.tif 000013
【図１３】
0005765186.tif 000014
【図１４】
0005765186.tif 000015
【図１５】
0005765186.tif 000016
【図１６】
0005765186.tif 000017
【図１７】
0005765186.tif 000018
【図１８】
0005765186.tif 000019
【図１９】
0005765186.tif 000020
【図２０】
0005765186.tif 000021
【図２１】
0005765186.tif 000022
【図２２】
0005765186.tif 000023
【図２３】
0005765186.tif 000024
【図２４】
0005765186.tif 000025